(57)【特許請求の範囲】
【請求項１】
支持体と、少なくとも１層の受像性フォトサーモグラフィ層と、少なくとも１層のハレーション防止層またはフィルター層とを含んでなるフォトサーモグラフィ要素において、該ハレーション防止層またはフィルター層が、少なくとも１種のハレーション防止色素またはフィルター色素と該層中に分散した液体粒子または固体粒子の形態の少なくとも１種のヘキサアリールビイミダゾール化合物とを組み合わせてなる熱漂白性組成物を含み、かつ、該層が、親水性ポリマーまたは水分散性ポリマーを単一または主要バインダー材料として含有する高分子マトリックスを含むことを特徴とするフォトサーモグラフィ要素。
【請求項２】
前記ヘキサアリールビイミダゾールが、それぞれ下記構造式で個別に表される２種の化合物の酸化的トリアリールイミダゾール二量体を含んでなる、請求項１記載のフォトサーモグラフィ要素。
【化１】
0003842633.tif 000042
上式中、Ｒ1 、Ｒ2 およびＲ3 は、各々独立に、水素、ハロゲン、シアノ、カルボアルコキシ、ニトロ、炭素原子数１〜１０の置換型または無置換型アルキル、炭素原子数１〜１０の置換型または無置換型アルコキシ、炭素原子数５〜１０のアリールまたは置換型アリールおよび炭素原子数６〜１１の置換型または無置換型ベンジルからなる群より選ばれた置換基であり、かつ、Ａｒ1 およびＡｒ2 は、各々独立に、置換型または無置換型の炭素環式または複素環式芳香族基である。
【請求項３】
感光波長域がそれぞれ異なる３種以上の感光ユニットを有し、該ユニットの各々が１種以上の感光性ハロゲン化銀乳剤と、１種以上の有機銀塩と、バインダーと、色素供与性カプラーとを含むカラー写真フィルムであって、さらにそのフォトサーモグラフィ層の下方に、(1)平均粒径０.０１〜５μｍの固体粒子の分散体としての少なくとも１種のヘキサアリールビイミダゾールと(2)少なくとも１種のハレーション防止色素とを含むハレーション防止層を含んでなるフィルムを、カメラ内で像様露光した後、
(a) 前記３種の感光ユニットの各々と反応的に組み合わされている内蔵されたブロック化現像主薬が脱ブロックされて現像主薬を形成し、その脱ブロックされた現像主薬が該色素供与性カプラーと反応することにより色素を生成してカラー画像を形成し、かつ、前記ハレーション防止色素が５０％以上脱色されるように、該フィルムを、実質的乾式処理において、８０℃より高い温度に０.５秒間以上加熱することにより、外部から現像主薬を一切適用することなく該フィルムを熱現像し、次いで、
(b) 該カラー画像を走査することにより、表示要素にポジ型カラー画像を生ぜしめることができるデジタル電子記録を提供する
ことを特徴とするカラー写真フィルムの処理方法。
【発明の詳細な説明】
【０００１】
【発明の属する技術分野】
本発明は、熱を加えると電磁波吸収特性が変化する着色水性熱漂白性組成物に関する。これらの組成物は、フォトサーモグラフィ要素のハレーション防止成分またはフィルター成分として有用である。
【０００２】
【従来の技術と発明が解決しようとする課題】
写真材料は、通常、ハレーション防止層またはフィルター層、オーバーコートおよび輻射線感受性層を含む各種の層と成分を有している。画像形成要素のハレーション防止層は、単一または複数の輻射線感受性層を通過した光が、これらの層に逆に反射するのを防止する働きがある。その反射が防止されないと、得られる画像は鮮鋭度が低くなる。湿式法の場合、ハレーション防止層は、一般に、湿式化学処理中に除去されるかまたは無色になる。フィルター層は、そのフィルター層の上方に位置するカラー層またはカラー層ユニットによって完全には吸収されなかった色の光を吸収するために使用される一方、フィルター層の下方に位置するカラー層またはカラー層ユニットによって吸収されることになっている色の光を透過する。換言すれば、フィルター層は画像を獲得するためには使用されない光を選択的に吸収するために使用される。ハレーション防止層は、すべてのカラー層の下方に配置された一種のフィルター層とみなすことができ、いかなる光もハレーション防止層の下方のカラー層へ送る必要はないが、ハレーション防止ユニットを通じて逆に反射される光が防止されるかまたは最小限にされる。ハレーション防止層とフィルター層の両者は、一般にカラー層に吸収されることになっていない光を吸収するかまたはフィルターして除くフィルター色素を利用する。
【０００３】
画像露光を行った後、単に加熱することによって処理できる画像形成色素は、フォトサーモグラフィ要素と呼称される。このような要素はハレーション防止層またはフィルター層を備えていることが望ましい場合が多い。ほとんどの場合、ハレーション防止層は、走査中の不要の光吸収〔これによって、最小濃度のレベルが高くなり（「Ｄmin 」が増大する）望ましくない〕を避けるため、熱処理したとき実質的に透明にならなければならない。特にカラーフィルムの場合、透明になるまで漂白して、あらゆる色合いを回避するかまたは最小限にすることが望ましい。
【０００４】
処理溶液の使用を回避するフォトサーモグラフィシステムで使用される各種のハレーション防止組成物が文献に報告されている。このような組成物は一般に、熱漂白性ハレーション防止色素を含有しているか、または漂白剤として使用する添加物が組みこまれている。特にハレーション防止組成物中に漂白剤として、ビイミダゾール類由来のラジカルを使用することが知られており、例えば米国特許第４，１９６，００２号（Levinsonら）および米国特許第４，２０１，５９０号（Levinsonら）に記載されている。これらの組成物は、特定のヘキサアリールビイミダゾール（ＨＡＢＩ）化合物と反応するように関連しているフィルター色素を含有している。これらのハレーション防止組成物は、熱に、所定の時間、暴露されると無色になる。類似のハレーション防止組成物とフォトサーモグラフィ要素を開示するその外の特許は、米国特許第５，６５２，０９１号（Perry ら）、同第５，６９３，５８９号（Goswami ら）および同第５，７０５，２９３号（perry ら）ならびに英国特許第２，００４，３８０号（Levinsonら）である。
【０００５】
従来技術の漂白性ハレーション防止組成物は、大部分、色素類と漂白剤類が個々の分子として溶解可能な溶媒系として設計されていた。従来技術に開示されているＨＡＢＩ類は、水性系で使用するように設計されていないので、このような系は、水性コートされた場合または水を含有する親水性層中で機能するのかどうか予測できない。さらに、従来技術の漂白性ハレーション防止組成物の大部分は、消費者が使用するフォトサーモグラフィカラーフィルムと比べると、保健用の画像形成技術またはグラフィック技術を目的としている。フォトサーモグラフィカラーフィルムの場合、熱漂白性色素組成物の暗保存性が課題であろう。かような組成物が有用であるためには、その組成物が、暗保存損失量が最小で、同時に、高温度でほとんど完全に漂白されることが重要である。
【０００６】
低温で水性系にて永久的にかつ迅速に漂白することができるハレーション防止組成物が要望されている。特に、消費者使用向けカラーフォトサーモグラフィフィルムの分野では、漂白性と保存性に関する要求が高い。ハレーション防止層またはフィルター層の漂白が、フィルムの走査を改善するために要望されている。
【０００７】
【課題を解決するための手段】
本発明は、支持体、少なくとも一つのフォトサーモグラフィ層、および少なくとも一つのハレーション防止層もしくはフィルター層を備えてフォトサーモグラフィ要素であって、そのハレーション防止層もしくはフィルター層が、少なくとも一種の光吸収フィルター色素（潜像由来ではない）および固体粒子もしくは液体粒子の形態で該層中に分散した少なくとも一種のヘキサアリールビイミダゾール化合物を含有する熱漂白性組成物を含んでいるフォトサーモグラフィ要素に関する。そのフィルター色素としては、フィルター層またはハレーション防止層に用いられる色素が含まれるが、現像主薬またはカップリング剤から生成する色素は除外される。本発明の一実施態様で、前記粒子は、親水性ポリマーまたは水分散性で疎水性のポリマーを含有するマトリックス中に、分散されている。一実施態様で、前記親水性ポリマーは、ハレーション防止層またはフィルター層用の結合剤としての酸化ゼラチンである。
【０００８】
また、本発明は、少なくとも一種のハレーション防止色素もしくはフィルター色素および少なくとも一種のヘキサアリールビイミダゾール化合物を含有する水性分散液の形態であり、その水性分散液が、可溶性で親水性のポリマーもしくは分散された疎水ポリマーを含有する水性相および前記ヘキサアリールビイミダゾール化合物を含有する固体もしくは液体の粒子を含む分散有機相を含んでなる組成物であって；前記粒子中のヘキサアリールビイミダゾール化合物は、前記分散液がコートされ、乾燥され、次いで少なくとも９０℃の温度まで少なくとも０．５秒間加熱されると、前記色素を漂白することができる組成物を目的としている。前記色素は水性相中または独立した分散有機相中に存在していてもよい。一実施態様では、前記ヘキサアリールビイミダゾール化合物を含有する固体粒子が利用される。他の実施態様では、水中油型のエマルションが利用される。
【０００９】
また、本発明は、ハレーション防止層もしくはフィルター層が、少なくとも約９０℃の温度まで加熱されると、約２０分以内に、好ましくは約５分以内に、より好ましくは約０．５分以内に、少なくとも４０％が、好ましくは少なくとも５０％が、より好ましくは少なくとも９０％が無色になる（製品に使用されているのと同じ支持体に該層を実質的に単独で載置してなる対照試験による）フォトサーモグラフィ要素の製造方法と使用も目的としている。前記ハレーション防止層もしくはフィルター層は、加熱されると少なくとも４０％が無色になる速度とその優れた保存寿命の貯蔵安定性によって特に有利である。また、本発明は、現像された画像を走査することを含む、多色フォトサーモグラフィ要素に画像を形成する方法も目的としている。
【００１０】
【発明の実施の形態】
上記のように、本発明の特徴は、フォトサーモグラフィ要素に、水性マトリックスもしくは水性のコートされたマトリックス中に分散されたヘキサアリールビイミダゾール化合物を含有する粒子を含んでなるフィルター層もしくはハレーション防止層を使用することである。このヘキサアリールビイミダゾールを、色素と反応するように組み合わせて使用し、画像獲得後、該フォトサーモグラフィ要素を、好適には該画像の現像中、適切に加熱すると、該色素が漂白される。各種のヘキサアリールビイミダゾール化合物が、本発明のハレーション防止層もしくはフィルター層に有用である。これらのヘキサアリールビイミダゾール化合物は、トリアリールイミダゾール類の酸化的二量体とも呼ばれているが公知の化合物であり、当業技術界で公知の方法で製造することができる。例えば、ヘキサアリールビイミダゾール類は、フェリシアン化カリウムを酸化剤として使用して、親のトリアリールイミダゾールを界面酸化することによって製造できる。例えば、本発明に有用な代表的ヘキサアリールビイミダゾール化合物は、以下の米国特許に記載され、これらの特許から選択することができる。すなわち、１９７３年５月２２日に発行されたPootらの米国特許第３，７３４，７３３号；１９６８年７月２日に発行されたReadの同第３，３９０，９９７号；１９６８年５月１４日に発行されたMacLachlanの同第３，３８３，２１２号；１９６９年５月２０日に発行されたCesconらの同第３，４４５，２３４号；１９６８年７月３０日に発行されたReadの同第３，３９５，０１８号；１０６８年７月２日に発行されたCesconらの同第３，３９０，９９４号；１９７１年１０月２６日に発行されたLooneyの同第３，６１５，４８１号；１９７２年５月３０日に発行されたStrilka の同第３，６６６，４６６号；１９７１年１２月２８日に発行されたCesconの同第３，６３０，７３６号；および１９７０年１０月１３日に発行されたJames らの同第３，５３３，７９７号である。なお、これらの特許は本願に援用するものである。
【００１１】
有用なヘキサアリールビイミダゾール化合物の代表的な例としては、そのアリール基が置換されているかまたは置換されていない２，４，５−トリアリールイミダゾール類の酸化的二量体がある。上記ヘキサアリールビイミダゾールは、好ましくは、下記構造式Ｉによって独立して表される二種のトリアリールイミダゾール類の二量体である。
【００１２】
【化２】
0003842633.tif 000002
【００１３】
前記二量体が同一のモノマーで構成されている場合、そのヘキサアリールビイミダゾールは下記式ＩＡで表されることができる。
【００１４】
【化３】
0003842633.tif 000003
【００１５】
上記式中、Ｒ1 ，Ｒ2 およびＲ3 は独立して置換基であり、例えば、水素、ハロゲン、１〜約１０個の炭素原子を有するアルキルもしくは置換アルキル、１〜１０個の炭素原子を有するアルコキシ、５〜約１０個の炭素原子を有するアリールもしくは置換アリール、シアノ、カルボアルコキシ、ニトロ、６〜１１個の炭素原子を有する置換もしくは無置換のベンジルであり；そしてＡｒ1 とＡｒ2 は独立して置換もしくは無置換の炭素環もしくは複素環の芳香族基である。好ましくは、上記アルキルもしくはアルコキシの置換基は、１〜４個の炭素原子を含有し、例えばメチル、エチル、プロピルおよびブチルがある。構造式ＩのＲ1 ，Ｒ2 およびＲ3 は、好ましくは独立して水素、ハロゲン、１〜約１０個の炭素原子を有するアルキルもしくは置換アルキル、５〜約１０個の炭素原子を有するアリールもしくは置換アリール、６〜１１個の炭素原子を有する置換もしくは無置換のベンジルである。
【００１６】
ヘキサアリールビイミダゾールは、より好ましくは下記構造式ＩＣで表される。
【００１７】
【化４】
0003842633.tif 000004
【００１８】
上記式中、Ｒ1 は水素またはハロゲンであり；Ｒ2 とＲ3 は独立して水素、ハロゲン、１〜約１０個の炭素原子を有するアルキルもしくは置換アルキル、５〜約１０個の炭素原子を有するアリールもしくは置換アリール、置換もしくは無置換のベンジル、シアノであり；Ｒ4 ，Ｒ5 およびＲ6 は独立して水素、１〜約６個の炭素原子を有するアルキルもしくは置換アルキルである。上記Ｒ4 ，Ｒ5 およびＲ6 の基は、各リングに対し独立して選択できるが、これらの基は両リングについて同一であることが好ましい。構造式ＩＣ中の二つのモノマーは、独立して選択されてもよくまたは同一でもよい。前記ヘキサアリールビイミダゾールは、より好ましくは、式中、Ｒ1 ，Ｒ2 およびＲ3 が水素であり；Ｒ4 が１〜約６個の炭素原子を含有するアルキルもしくは置換アルキルであり；そしてＲ5 とＲ6 が水素である構造式ＩＣで表される化合物である。最終的に、最も好ましい化合物は、式中、Ｒ1 ，Ｒ2 およびＲ3 が水素であり；Ｒ4 がイソプロピルであり；そしてＲ5 とＲ6 が水素である構造式ＩＣで表される化合物である。
【００１９】
ヘキサアリールビイミダゾール類に関する重要な教示は、Aldag,「Photochromism, Molecules and Systems」DurrおよびLaurent編、18章、714-717頁1990年、Elsevierによって刊行されている。単一のトリアリールイミダゾールは、二量体の結合がＣ−Ｎ，Ｃ−ＣまたはＮ−Ｎの結合を通じて行われる場合、異なる構造の二量体を生成できると考えられる。これら個々の構造の二量体またはその混合物は、共通のトリアリールイミダゾールラジカルから、化学的に、熱的にまたは光分解的に製造することができる。本願に具体的に記載されている二量体は、Ｃ−Ｎ結合（一方のイミダゾールの２位の炭素原子と他方のイミダゾールの窒素原子の結合）を通じて結合されているが、本発明はこれに限定されない。
【００２０】
所望により、ヘキサアリールビイミダゾール化合物の組合せを利用できる。このような組合せの例は、構造式（Ｉ）の範囲内の化合物の組合せ、すなわち式中のすべてのＲ基が水素である第一化合物（ａ）と、式中のＲ4 とＲ1 がイソプロピルで残りすべてのＲ基が水素である第二化合物（ｂ）との組合せである。
【００２１】
ヘキサアリールビイミダゾール化合物の特定の例は次のとおりである。
【００２２】
【化５】
0003842633.tif 000005
【００２３】
【化６】
0003842633.tif 000006
【００２４】
【化７】
0003842633.tif 000007
【００２５】
【化８】
0003842633.tif 000008
【００２６】
ヘキサアリールビイミダゾール化合物またはこのような化合物の組合せの選択は、使用すべき特定の単一もしくは複数のハレーション防止色素もしくはフィルター色素、処理条件、前記単一もしくは複数の色素を含有する層の望ましい漂白度、これら成分の可溶性特性などの要因によって決まる。
【００２７】
各種の色素および色素前駆体が、先に述べたヘキサアリールビイミダゾール化合物とともに本発明に有用であるが、一般に、前記ヘキサアリールビイミダゾール化合物を加熱すると提供されるトリアリールイミダゾールラジカルと考えられるものと反応すると、その色を変えるすなわちその電磁放射線吸収特性を変えるいかなる色素または色素前駆体も本発明に使用できる。例えばハレーション防止層の目的を達成するためには、熱漂白性層が、画像形成組成物が感受性であるスペクトル領域を実質的に均一に吸収することが望ましい。また、ハレーション防止色素もしくはハレーション防止色素前駆体は、層の吸収特性の少なくとも約４０％および好ましくは少なくとも５０％、より好ましくは少なくとも６０％、さらにより好ましくは少なくとも８０％および最も好ましくは少なくとも９０％が、ステータスＭ濃度を使用する標準試験にしたがって着色から無色まで変化する程度まで変化しなければならない。したがって、ハレーション防止層またはフィルター層は、漂白後は、走査中、またはフォトサーモグラフィ要素を使用して全写真を製造中に、製品のＤmin に悪影響を与える光濃度が最小であるかまたは実質的にゼロである。
【００２８】
ヘキサアリールビイミダゾールを使用して、無色の形態まで漂白できるかまたは変換することができる各種の色素が知られ、それら色素の多くが従来技術に具体的に開示されており、例えば、限定されないが、スクアリリウム（ｓｑｕａｒｙｌｌｉｕｍ）類（スクアリリウム「ｓｑｕａｒｉｌｌｉｕｍ」と時には呼称される）、オキソノール類、ホルマザン類および水または溶媒に溶解し同様に漂白性である他のフィルター色素がある。
【００２９】
ホルマザン色素の例は下記構造式IIで表される。
【００３０】
【化９】
0003842633.tif 000009
【００３１】
上記式中、Ｒ3 は、そのリング系に５〜２０個の原子を有する置換もしくは無置換の芳香族基であり、例えば炭素環もしくは複素環の芳香族リングである。好ましくは、Ｒ3 はそのリング系に５〜１５個の原子を有する置換もしくは無置換の配位性芳香族基である。かような芳香族基は、一つ以上の窒素、酸素または硫黄の原子を含む炭素環基また複素環基でもよい。
【００３２】
また、Ｒ4 はリング核に６〜１４個の炭素原子を有するアリール基（置換もしくは無置換の）でもよい（例えば、フェニル、トリル、キシリル、ナフチル、アントリル、ｐ−ニトロフェニル、ベンズチオフェニル、ベンゾイミダゾイルまたはピリジルがある）。
【００３３】
Ｒ5 は、１〜２０個の炭素原子を有する（置換もしくは無置換の）アルキル基（例えば、置換もしくは無置換のメチル、エチル、ｎ−プロピル、イソプロピル、ｔ−ブチル、ヘキシル、デシル、ベンジルおよび当業技術者には容易に分かるその外の分枝もしくは線状の炭化水素）；リングに６〜１４個の炭素原子を有する（置換もしくは無置換の）アリール基（例えば、フェニル、キシリル、トリル、ナフチル、４−ヒドロキシフェニル、ｐ−ニトロフェニル、ジメトキシフェニル、アントラキノニルおよび当業技術者には容易に分かるその外の置換された炭素環芳香族リング系）；またはリング核に５〜７個の原子を有する置換もしくは無置換の５員〜７員の複素環基、例えばピリジル、ピリミジル、オキサジル、ベンゾチアゾリル、ベンゾイミダゾリル、および当業技術者には容易にわかるその外の基である。挙げることができる特別のホルマザン色素（含金型のいくつかの色素）としてはPerry らの米国特許第５，６５２，０９１号とLevinsonらの米国特許第４，２０１，５９０号に開示されているものがあり（これら特許は、全体を本願に援用するものである）、例えば（１）１，３，５−トリフェニルホルマザン；（２）１−（４−クロロフェニル）−３，５−ジフェニルホルマザン；（３）１−ｐ−ニトロフェニル−３，５−（ジフェニル）ホルマザン；（４）１，５−ジフェニル−３−メチルホルマザン；（５）１，５−ジフェニル−３−（３−ヨードフェニル）ホルマザン；（６）１，５−ジフェニル−３−（２−ナフチル）ホルマザン；（７）１−（２−カルボキシフェニル）−３，５−ジフェニルホルマザン；および（８）１，５−ジフェニル−３−（ｐ−ニトロフェニル）ホルマザンがある。有用な、ホルマザンのハレーション防止色素もしくはフィルター色素は含金属ホルマザン色素であり、その例は亜鉛−ホルマザン色素錯体、コバルト−ホルマザン色素錯体、銅−ホルマザン色素錯体、カドミウム−ホルマザン色素錯体およびニッケル−ホルマザン色素錯体である。ホルマザン色素類の組合せも有用であり、そして含金属ホルマザン色素もしくは非含金属ホルマザン色素と組み合わせた含金属ホルマザン色素も有用である。ホルマザン色素の組合せは、所望の吸収度を提供するのに有用である。ホルマザン色素類の組合せの一例は、トリフェニルホルマザンと１−（ｐ−ニトロフェニル）−３−メチル−５−フェニルホルマザンの組合せである。
【００３４】
その外の有用なホルマザン色素類は、例えば英国、Ｐ０９１ＥＦハンプシャー州ハヴァント・ホームウェル所在のIndustrial Opportunities Ltd. が刊行したResearch Disclosure, 1974年10月、アイテム12617，12〜30頁；１９６６年１月４日に発行されたOliverとGates の米国特許第３，２２７，５５６号；１９６２年８月２１日に発行されたMacdonald の米国特許第３，０５０，３９３号；およびChemical Reviews, 1955年の356頁 から始まる記事に記載されている。これらの文献を本願に援用するものである。これらホルムザン色素とそれらの製造法は当業技術界で公知である。これらホルマザン色素は、例えば、Chemical Review, 1955年、356頁から始まる記事に記載されているような当業技術界で公知の方法で製造することができる。
【００３５】
本発明で使用できる好ましいクラスのフィルター色素のさらに別の例は、環式もしくは非環式（または両方の）ケトメチレン類から誘導される対称型および非対称型のトリ−、ペンタ−およびヘプタ−メチンのオキソノール色素を含むオキソノール色素である。代表的なオキソノール色素類は下記構造式III で表すことができる。
【００３６】
【化１０】
0003842633.tif 000010
【００３７】
上記式中、Ａ1 とＡ2 は活性化されたメチレン部分（ケトメチレンを含む）であり、Ｌ1 〜Ｌ7 は各々独立して置換もしくは無置換のメチン基を表し、Ｍ+ はカチオンであり、そしてｐは１であり、ｑとｒは独立して０または１である。
【００３８】
オキソノールは、好ましくは下記の構造式IIIＡ，IIIＢまたはIIIＣ で表される。
【００３９】
【化１１】
0003842633.tif 000011
【００４０】
上記式中、Ｗ1 とＹ1 は環式の活性化メチレンまたはケトメチレンの部分を形成するために必要な原子であり；Ｒ1 とＲ3 は芳香族基またはヘテロ芳香族基であり；Ｒ2 とＲ4 は電子求引基であり；Ｇ〜Ｇ4 は独立してＯまたはジシアノビニル〔−Ｃ（ＣＮ）2 〕であり；そしてｐは１であり、ｑとｒは独立して０または１であり；そしてＬ1 〜Ｌ7 は各々置換もしくは無置換のメチン基を表す。これは、構造式III で表される色素を、二つの環式活性化メチレン単位から誘導されたオキソノール(IIIＡ）例えばピラゾロン類もしくはバルビツル酸類；二つの非環式活性化メチレン単位から誘導されたオキソノール(IIIＢ）例えばトリシアノプロペン類もしくはベンゾイルアセトニトリル類；または環式活性化メチレン単位と非環式活性化メチレン単位一つずつから誘導されたオキソノール(IIIＣ）に分類している。しかし、これら三つのサブストラクチャーすべての末端基は同一である必要はなく、独立して選択することができる。
【００４１】
上記構造式 III（Ａ1 とＡ2 に関連する）または構造式 IIIＡ、IIIＢ およびIIIＣ による構造中の活性化メチレン（ケトメチレンを含む）部分は当業技術界で周知であり、例えばHamer 著「The Cyanine Dyes and Related Compounds」469-494頁および595-604頁に記載されている。本発明によって、好ましい活性化メチレン基としては、限定されないが、ベンゾイルアセトニトリル、２−ピラゾリン−５−オン、ピラゾリジンジオン、トリシアノプロペン、バルビツル酸、インダンジオン、ジシアノビニルインダンジオン、ビス（ジシアノビニル）インダンジオン、ピロリノン、フラノン（例えばシアノフェニルフラノンと誘導体類）、ベンゾチオフェンジオキシド、ジシアノビニルベンゾチオフェンジオキシド、ロダニン、ベンゾフラノン、クロマンジオン、シクロヘキサンジオン、イソキサゾリノン、ピラゾロピリジン、ピリドンおよびピランジオンがあり、そして、これらの部分のいずれも、単一もしくは複数のイオンもしくは非イオンの可溶化基またはpka 値が水中で４より小さいイオン化可能な基で任意に置換されていてもよい。Ｗ1 とＹ1 は、炭素環式または複素環式のケトメチレン部分を形成するのに必要な原子である。
【００４２】
構造式III，IIIＡ、，IIIＢおよびIIIＣにおいて、Ｍ+ はカチオンであり例えばＨ+ ，Ｅｔ3 ＮＨ+ ，Ｃ5 Ｈ5 ＮＨ+ ，Ｎａ+ およびＫ+ である。用語「基」は、本願で使用する場合はいつでも、置換されるかまたは置換されない可能性がある。Ｒ2 ，Ｒ4 ，Ｅ1 およびＥ2 は、March 著「Advanced Organic Chemistry」20-21頁、228-229頁、386-387頁および494-497頁で考察されている電子求引性置換基である。Ｒ2 ，Ｒ4 ，Ｅ1 およびＥ2 に対する基としては、シアノ、アシル、ベンゾイル、フェナシル、アミノカルボニル、アルコキシカルボニル、アリール、ニトロまたはアリールスルホニルまたはアルキルスルホニルがある。
【００４３】
Ｌ基はいずれも置換されていても置換されていなくてもよい。これは、これらの基のいずれかが５員もしくは６員のリングのメンバーである可能性を含んでいる。
【００４４】
メチン基は、例えばアルキル、アルケニル、アリール、アラルキル、シクロアルキルまたは複素環の基で置換されてもよく、または上記のように、ｐ、ｑもしくはｒのうちの二つ以上が１の場合、二つ以上のメチン基とその置換基は、５員もしくは６員の炭素環リングもしくは複素環リングを形成できる。
【００４５】
一般に、本願において特定の部分または基に言及した場合、その言及には、一つ以上の置換基（可能な最大の数まで）で置換されていなくてもまたは置換されていても、その部分が含まれていると解すべきである。例えば「アルキル」または「アルキル基」は置換もしくは無置換のアルキルを意味するが、「ベンゼン基」は置換もしくは無置換のベンゼン（６個までの置換基を有する）を意味する。一般に特にことわらない限り、本願の分子で利用可能な置換基には、置換もしくは無置換であろうとも、写真の効用に必要な特性を破壊しない基が含まれている。前記基の置換基の例には、ハロゲン例えばクロロ、フルオロ、ブロモ、ヨード；ヒドロキシ；アルコキシ特に「低級アルコキシ」（すなわち１〜６個の炭素原子を有するアルコキシ、例えばメトキシ、エトキシ）；置換もしくは無置換のアルキル特に低級アルキル（例えばメチル、トリフルオロメチル）；チオアルキル（例えば、メチルチオもしくはエチルチオ）、特に１〜６個の炭素原子を有するもののどれか；好ましくは２〜１０個の炭素原子を有する置換もしくは無置換のアルケニル（例えば、エテニル、プロペニルまたはブテニル）；置換および無置換のアリール、特に６〜２０個の炭素原子を有するもの（例えばフェニル）；および置換もしくは無置換のヘテロアリール、特にＮ，ＯもしくはＳから選択される１〜３個のヘテロ原子を含有する五員もしくは六員のリングを有するもの（例えばピリジル、チエニル、フリル、ピロリル）；酸もしくは酸塩の基、例えば以下に記載のもの；ヒドロキシレート；アミノ；アルキルアミノ；シアノ；ニトロ；カルボキシ；カルボキシレート；アシル；アルコキシカルボニル；アミノカルボニル；スルホンアミド；スルファモイル；スルホ；スルホネート；アルキルアンモニウム；および水中のpk値が４未満のイオン化可能な基；および当業技術界で公知の他の基などの公知の基が含まれている。アルキル置換基としては具体的に、「低級アルキル」（すなわち、１〜６個の炭素原子を有する）、例えばメチル、エチルなどがある。さらに、アルキル基またはアルキレン基については、分枝または非分枝の構造でもよくかつリング構造を含んでいてもよいと解される。好ましい化合物は、ピラゾロン類、インダンジオン類およびチエノンジオキシドオキソノール類から誘導される。オキソノール類としては、連鎖アルキルおよび連鎖アシルの色素があり、そのアルキル基またはアシル基は、両末端基の間の中央部分に連結されている。
【００４６】
オキソノール色素の好ましい群は、下記構造式IVで表すことができる。
【００４７】
【化１２】
0003842633.tif 000012
【００４８】
上記式中、ｎは１〜３であり、各Ａｒは独立して置換もしくは無置換のアリール基もしくは複素環基であり、各Ｒは独立して置換もしくは無置換のアルキル、水素、カルボキシアルキル、アシル、アリールもしくはアルケニル基であり、そして各Ｌは独立して置換もしくは無置換のメチン基を表す。本発明に使用する特に有用なオキソノール色素の例は、下記式IV−１、IV−２、IV−３、IV−４およびIV−５で表される色素である。
【００４９】
【化１３】
0003842633.tif 000013
【００５０】
【化１４】
0003842633.tif 000014
【００５１】
本発明に使用できるフィルター色素のクラスのさらに別の例は、下記構造式Ｖで表されるスクアリリウム色素である。
【００５２】
【化１５】
0003842633.tif 000015
【００５３】
上記式中、Ａ3 とＡ4 は、同じでも異なっていてもよく、置換もしくは無置換の複素環リングまたは縮合複素環リング、好ましくは５員〜１２員の不飽和リングを完成するか、またはＡ3 とＡ4 は置換もしくは無置換の炭素環リング、好ましくは５員〜１２員の不飽和リングを完成し；そしてＲとＲ1 は独立してアルキル、置換アルキルまたはアリール（好ましくは１〜６個の炭素原子を有する）を表す。スクアリリウム色素の別の例は、Farid らの米国特許第４，７４３，５３１号（表IIに例示されている）およびHaley らの米国特許第４，１７５，９５６号と同第４，７４３，５３０号に見ることができる。なおこれらの特許はその全体を本願に援用するものである。
【００５４】
スクアリリウム色素の具体例は以下のとおりである。
【００５５】
【化１６】
0003842633.tif 000016
【００５６】
【化１７】
0003842633.tif 000017
【００５７】
二種以上のフィルター色素を同じ層に使用できる。色素の目的に応じて、異なるフィルター色素の組合せを、同じ層または異なる層に使用できる。本発明によるハレーション防止層に有用なフィルター色素は、好ましくは約４００〜約８５０nmの波長の光を主として吸収する。好ましくは、主として（かつ比較的均一に）、約５００〜約８５０nmを吸収する色素が使用される。フィルター層の場合、本発明によるイエローフィルター層で有用なイエローフィルター色素は主として約４００〜約５００nmを吸収し、かつ５００〜８５０nmの範囲内の光の大部分を透過させる。好ましくはイエローフィルター色素は、主として約４２０〜約４８０nmを吸収し、かつ４９０〜８５０nmの範囲の光の大部分を透過させる。同様に、マゼンタフィルター色素は、５００〜６００nmの光、そして好ましくは５２０〜５８０nmの光の大部分を吸収するが、波長が５００nmより短い光と６００nmより長い光の大部分を透過させる。
【００５８】
フィルター色素を選択することによって、フィルター色素は、固体粒子の形態、分散された有機相に溶解された形態、乳化された形態、またはハレーション防止層もしくはフィルター層の水性マトリックス中に溶解された形態で、ハレーション防止層またはフィルター層中に入れることができる。水溶性色素を水性マトリックスに溶解することが最も容易であるが、このことは、色素がコートされた層中にも色素がとどまることが一般に好まれるので、例外なく好ましいことではない。
【００５９】
本発明の前記ハレーション防止成分またはフィルター成分を含有する成分の被覆量と比率は、具体的な用途、ハレーション防止成分またはフィルター成分の要素中の位置、所望の吸収度、処理温度などの要因に応じて広範囲にわたって変えることができる。例えば、いくつかのフォトサーモグラフィ要素の色素の濃度は、少なくとも約０．０５のピーク光学濃度を与えるのに十分な濃度である。ハレーション防止を目的とする場合、色素の濃度は、可視スペクトル全体にわたって少なくとも約０．２、例えば約０．３〜約２．０の光学濃度を提供するのに十分な濃度である。ヘキサアリールビイミダゾールは、本願に指定されている標準の試験法によって、前記色素の少なくとも４０％を漂白するのに少なくとも十分な濃度で存在していなければならない。フィルター色素の適切な濃度は、色素１．０moleに対してヘキサアリールビイミダゾール０．２０〜２０．０moleの範囲内で変わる。一般に、過剰量ヘキサアリールビイミダゾール化合物によって、前記色素が使用されている要素中の該色素との望ましい反応度が保証される。ヘキサアリールビイミダゾール化合物／色素の好ましいモル比は約０．４〜約１０の範囲内にり、特に有用な比率は約１．０〜５．０である。前記色素および色素含有層が、着色から無色まで変化する正確な機構は、完全には理解されていない。しかし、ヘキサアリールビイミダゾール化合物は、加熱されると、トリアリールイミダゾイルラジカルを生成し、そのラジカルが、色素の構造を、着色体から着色度合いの少ない物質に変える方式で反応すると考えられる。
【００６０】
ヘキサアリールビイミダゾールの粒子（「ＨＡＢＩ」粒子）は、通常の分散法、例えば粒子を、限定コアレッセンス法（ｌｉｍｉｔｅｄ  ｃｏａｌｅｓｃｅｎｃｅ  ｐｒｏｃｅｄｕｒｅ）または当業技術界で公知の他の方法で粒子を製造することによるミリング（ｍｉｌｌｉｎｇ）などの方法で製造することができる。使用できるミリング法としては、例えば、英国特許第１，５７０，６３２号ならびに米国特許第３，６７６，１４７号、同第４，００６，０２５号、同第４，４７４，８７２号および同第４，９４８，７１８号に記載されている方法がある。なおこれら特許の全開示事項は、本願に援用するものである。利用できる限定コアレッセンス法としては、例えば、米国特許第４，９９４，３１３２号、同第５，０５５，３７１号、同第２，９３２，６２９号、同第２，３９４，５３０号、同第４，８３３，０６０号、同第４，８３４，０８４号、同第４，９６５，１３１号および同第５，３５４，７９９号に記載されている方法がある。なおこれら特許の全開示事項は本願に援用するものである。前記粒子の適切な平均の大きさは、１０〜５０００nmであり、好ましくは２０〜１０００nmであり、最も好ましくは３０〜５００nmである。
【００６１】
好ましい実施態様で、ＨＡＢＩは、結合剤中に、固体粒子の分散体の形態で分散されている。このような分散体は、固体形態の色素を、所望の粒子の大きさの範囲に到達するまでミリングを行うか、または、色素を、固体粒子の分散体の形態で、直接沈降させる（溶媒による溶液から）ことによって製造することができる。固体粒子をミリングして分散させる方法の場合は、ＨＡＢＩと水を含有する粗い水性プレミックスを作り、次に任意に、水溶性界面活性剤とポリマーの所望の組合せをつくって、前記プレミックスにミリング操作を行う前に添加する。得られた混合物を、次にミルにかける。そのミルは、例えばボールミル、媒体ミル、ジェットミル、アトリターミル（ａｔｔｒｉｔｏｒ  ｍｉｌｌ）、振動ミルなどでよい。このミルには、適当なミリング媒体、例えばシリカ、窒化ケイ素、砂、酸化ジルコニウム、イットリアで安定化された酸化ジルコニウム、アルミナ、チタン、ガラス、ポリスチレンなどのビーズを充填する。上記ビーズの大きさは、一般に、直径が０．２５〜３．０mmの範囲内であるが、所望により、より小さい媒体を使用できる。固体のＨＡＢＩ粒子を、スラリー中でミリング媒体と繰返し衝突させて、結晶破壊を行って粒子の大きさを低下させる。
【００６２】
上記水性分散液は、pHで沈降させる分散体を製造する際に使用することがすでに開示されている適当な界面活性剤およびポリマーをさらに含有していてもよい。溶媒で沈降させる場合、色素の溶液を、ある種の水混和性有機溶媒で製造する。その色素の溶液を、適当な界面活性剤とポリマーを含有する水溶液に添加して、溶媒で沈澱させる分散体を製造する際に使用することがすでに開示されているように、沈降を起こさせる。
【００６３】
また、界面活性剤および他の追加の通常の添加物は、従来技術の固体粒子分散法にしたがって、本願に記載されている分散法にも使用できる。このような界面活性剤、ポリマーおよび他の添加物は、以下の米国特許すなわち５，４６８，５９８号、５，３００，３９４号、５，２７８，０３７号、４，００６，０２５号、４，９２４，９１６号、４，２９４，９１７号、４，９４０，６５４号、４，９５０，５８６号、４，９２７，７４４号、５，２７９，９３１号、５，１５８，８６３号、５，１３５，８４４号、５，０９１，２９６号、５，０８９，３８０号、５，１０３，６４０号、４，９９０，４３１号、４，９７０，１３９号、５，２５６，５２７号、５，０１５，５６４号、５，００８，１７９号、４，９５７，８５７号および２，８７０，０１２号；先に引用した英国特許第１，５７０，３６２号と同第１，１３１，１７９号の明細書に開示されている。なおこれら特許の開示事項は、本願のフィルター色素の分散法に援用するものである。
【００６４】
追加の界面活性剤または他の水溶性ポリマーは、ＨＡＢＩ分散体を製造した後に、または写真要素の支持体上にコートするためその後小粒子分散体に水性コーティング媒体を添加する前もしくは後に添加することができる。前記水性媒体は好ましくは、安定剤および分散剤などの他の化合物、例えば追加のアニオン、非イオン、両性イオンもしくはカチオンの界面活性剤、および写真要素の当業技術界で周知のゼラチンなどの水溶性結合剤を含有している。水性コーティング媒体は、写真に有用な化合物の他の分散液または乳濁液をさらに含有していてもよい。固体ＨＡＢＩ粒子の別の製造方法としては溶媒沈降法がある。例えば、ＨＡＢＩの溶液はある種の水混和性有機溶媒で製造することができ、その後、そのＨＡＢＩの溶液を適当な界面活性剤とポリマーを含有する水溶液中に添加して、沈降させることができる。
【００６５】
水中油型乳濁液を含むＨＡＢＩの液状分散体を製造する各種の方法は、当業技術者によく知られている。ＨＡＢＩの水中油型分散液は、ＨＡＢＩを有機液体に溶解し、水溶性界面活性剤などの分散助剤、ポリマー、およびゼラチンなどの被膜形成結合剤を含有する水性相とプレミックスを製造し、そのプレミックスを、所望の粒子の大きさが得られるまでミルを通過させることによって製造することができる。そのミルは、コロイドミル、高圧ホモジナイザー、超音波装置などの高エネルギー装置である。通常の水中油型分散液の製造方法は、当業技術界で周知であり、例えば、Jelly とVittumの米国特許第２，３２２，０２７号により詳細に記載されている。代わりに、ＨＡＢＩを、ラテックスポリマー中に、重合中または重合後に加え、次いでそのラテックスを結合剤中に分散させてもよい。加えられるラテックスの追加の開示事項は、Millikenの米国特許第３，４１８，１２７号に見られる。
【００６６】
フィルター色素またはハレーション防止色素は、本発明の水性のコートされるハレーション防止層またはフィルター層に可溶性でも不溶性でもよい。色素が不溶性なので分散液の形態である場合、ＨＡＢＩ分散液と色素分散液を同時に一つの分散液として作るか、またはそれぞれの分散液を別個に製造して二つの分散液とし、その後、混合してもよい。別の色素分散液の場合、色素は、当業技術界では周知であるように、被膜形成ポリマー媒質および／または結合剤中に、直接加えるか、または分散させることができる。これらのものとしては、天然のおよび合成の結合剤の両者があり、例えばゼラチンとゼラチン誘導体、ポリビニルアルコール類、アクリルアミドポリマー類、ポリ酢酸ビニル類、ポリアクリレート類などがある。例えば、特に色素が可動性である場合（例えば一つ以上のＳＯ3-成分を含有する色素）、色素の固定化を促進するポリビニルイミダゾールとポリビニルピリジンなどの媒染剤と組み合わせて、色素を使用することが有利である。色素を媒染する技法は、当業技術界では周知であり、そして、Joneらの米国特許第３，２８２，６９９号およびHeseltine らの米国特許第３，２５５，６９３号と同第３，４８３，７７９号により詳細に記載されている。
【００６７】
色素は、その水中油型分散液の形態に調製するか、またはＨＡＢＩについて先に述べたように固体粒子分散体の形態で結合剤中に分散させることができる。色素の固体粒子分散体は、平均の粒子の大きさが０．０１〜約１０μｍでなければならず、好ましくは０．０５〜約５μｍであり、より好ましくは約０．０５〜約３μｍである。最も好ましくは、その固体粒子は平均の大きさが１μｍ未満である。固体色素粒子を製造するのに、溶媒沈降法に加えて、pH沈降法を利用できる。色素の水溶液は比較的高いpHで製造することができ、次にそのpHを下げて色素を沈降させる。上記色素分散液には、先にpHで沈降させる分散液の製造について開示した適当な界面活性剤とポリマーをさらに含有することができる。
【００６８】
本発明において、漂白性のフィルター色素またはハレーション防止色素の組合せを使用するか、または一種以上の漂白性色素を他の非漂白性色素と組み合わせて使用して、所望により、より広い吸収スペクトルを得ることができる。例えばフィルター色素を使用して、ハレーション防止特性を与えるかまたは明室装填を可能にする場合、フィルター色素を選択して、写真要素の単一もしくは複数の感光層の増感エンベロープと適合する吸収エンベロープを提供しなければならない。使用することができる他のフィルター色素としては、例えば、米国特許第２，５３８，００８号、同第２，５３８，００９号および同第４，４２０，５５５号、ならびに英国特許第６９５，８７３号および同第７６０，７３９号に開示されているフィルター色素がある。米国特許第４，９５０，５８６号、同４，９４８，７１８号、同４，９４８，７１７号、同４，９４０，６５４号、同４，９２３，７８８号、同４，９００，６５３号、同４，８６１，７００号、同４，８５７，４４６号、同４，８５５，２２１号、同第５，２１３，９５６号および同５，２１３，９５７号；ならびにヨーロッパ特許第４３０，１８６号に開示されているような固体粒子分散体として、フィルター色素を使用することが好ましい。なお上記特許の全開示事項は本願に援用するものである。
【００６９】
本発明の別の側面は、少なくとも一種のハレーション防止色素またはフィルター色素および少なくとも一種のヘキサアリールビイミダゾール化合物を含有しかつ水性相と分散された有機相とを有する水性分散液の形態の組成物であって；前記水性相が結合剤として、可溶性で親水性のポリマーまたは分散された疎水性のポリマーを含有し、かつ前記分散された有機相が前記ヘキサアリールビイミダゾール化合物を含有する固体または液体の粒子を含有し、そして前記粒子中のヘキサアリールビイミダゾール化合物は、該分散液がコートされ乾燥され次いで少なくとも９０℃の温度で少なくとも０．５秒間加熱されると前記色素を漂白することができる組成物を目的としている。色素は、前記水性相または独立した分散有機相に入っていてもよい。一実施態様では、前記ヘキサアリールビイミダゾール化合物を含有する固体粒子が利用される。他の実施態様では、水中油型の乳濁液が利用される。この水性分散液に関する用語「水性」は、その水性相が、少なくとも１０重量％、より好ましくは少なくとも２０重量％の水を含有し、最も好ましくは少なくとも５０重量％の水を含有していることを意味する。同様に、例えばフォトサーモグラフィ要素の基板上に水性コートされる場合、このコーティング組成物に関する用語「水性」は、コーティング組成物が少なくとも１０重量％、より好ましくは少なくとも２０重量％の水を含有し、最も好ましくは少なくとも５０重量％の水を含有していることを意味する。下記の混和可能な有機溶媒を任意に含有していてもよい。完全なフォトサーモグラフィ画像形成要素の水性コートされたハレーション防止層またはフィルター層の水含有量は、乾燥されると、その乾燥された層の少なくとも約１重量％であるが、分散可能な疎水性ポリマーを使用しなければ通常高く、特にゼラチン結合剤の場合、少なくとも５重量％の水を含有し、好ましくは１０〜１５重量％の水を含有している。いくつかの化合物は溶解性が限定されているため、本発明の要素を提供するためコートする材料を製造するのを助けるために有機溶媒を使用することが望ましいことが多い。本発明にしたがってハレーション防止層またはフィルター層としてコートするのに使用する組成物を製造する際に有用な典型的な有機溶媒としては、テトラヒドロフラン、塩化メチレン、エタノール、メタノール、アセトンおよびブタノールがある。本発明によるこれら溶媒と前記成分との混合は、写真技術界で知られている方法を利用して実施できる。
【００７０】
水性分散液またはコーティング組成物に使用される結合剤は、透明かまたは半透明でなければならず、そして色素を着色した色素から無色の色素に変える反応に悪影響を与えずかつ採用される処理温度に耐えることができる材料を含有していなければならない。これらのポリマーとしては、例えば、ゼラチンなどのタンパク質、ゼラチン誘導体、セルロース誘導体、デキストランなどの多糖類、およびポリ（ビニルアルコール）、ポリ（ビニルピロリドン）、アクリルアミドポリマーなどのごとき水溶性ポリビニル化合物のような合成ポリマー物質がある。有用な他の合成ポリマー化合物としては、ラテックス型などの分散されたビニル化合物がある。有効なポリマーとしては、写真要素の画像形成材料と相容性の高分子量の物質、ポリマーおよび樹脂がある。前記コロイドおよびポリマーの組合せも、所要の場合、有用である。
【００７１】
本発明に使用するのに好ましい結合剤は、酸化ゼラチンであり、例えば、過酸化水素などの酸化剤で処理されたゼラチンがある。Mollの報告「Investigations of Oxidized Gelatins 」、（1985年９月６日に英国、オックスフォードで開催されたRoyal Photographic Society主催の第二回写真用ゼラチンシンポジウム）には、酸化ゼラチンのいくつもの化学特性と物理特性が記載されている。一般に、酸化されたゼラチン系ペプタイザーは、１ｇ当り３０マイクロモル未満のメチオニンを含有している。そのペプタイザーがゼラチンまたはゼラチン誘導体である場合、乳剤を沈降させる前または沈降させている間に、メチオニン酸化剤で処理することができる。メチオニン酸化剤の例としては、ＮａＯＣｌ、クロラミン、モノ過硫酸カリウム、過酸化水素および過酸化物放出化合物、オゾン、チオ硫酸塩類ならびにアルキル化剤がある。具体的な説明は、Maskaskyの米国特許第４，７１３，３２０号と同第４，７１３，３２３号；Kingらの米国特許第４，９４２，１２０号；Takadaらのヨーロッパ特許願公開第０４３４０１２号およびOkumura らのヨーロッパ特許願公開第０５５３６２２号に提供されている。
【００７２】
理論にとらわれたくないが、酸化されていないゼラチン中に存在するゼラチンのメチオニン基は、加熱されると、そのラジカルが色素の漂白を担うヘキサアリールビイミダゾール化合物から誘導されるラジカルと反応し得ると推測される。より多量のヘキサアリールビイミダゾールを、未酸化ゼラチンとともに使用して、その漂白作用をある程度、改善できるが、酸化されたゼラチンを使用すると、ヘキサアリールビイミダゾールの漂白作用を、予想外に活性化し促進する。
【００７３】
前記ハレーション防止層は、各種のフォトサーモグラフィ要素に有用である。有用なフォトサーモグラフィ要素としては、写真ハロゲン化銀から、カラー画像などの画像を提供するように設計されているフォトサーモグラフィ要素がある。消費者フィルム用に設計されて、本発明のハレーション防止材料を含有するフォトサーモグラフィカラー要素は特に有用である。
【００７４】
ヘキサアリールビイミダゾール化合物と色素の前記組合せは、加熱すると色素を所望どおりに漂白する、フォトサーモグラフィ要素中の適切な位置に配置される。本発明が、透明の支持体上にコートされる写真材料のハレーション防止層として利用される場合（例えば写真フィルム）、この本発明の層は、支持体の、輻射線感受性層と同じ側または反対側にコートすることができる。本発明が、反射支持体上にコートされる写真材料のハレーション防止層として利用される場合（例えば写真印画紙）、この本発明の層は、支持体の、輻射線感受性層と同じ側にコートしなければならない。本発明が写真材料のフィルター層として利用される場合、同じ要求が、使用される支持体のタイプに応じて、適用される。
【００７５】
色素およびヘキサアリールビイミダゾール化合物の粒子は、互いに反応するように関連して、ハレーション防止成分またはフィルター成分中で所望の熱漂白性を提供することが必要である。用語「反応するように関連して」は、本願で使用する場合、前記材料が、所望の処理と熱漂白を行うことができて、より有用な現像画像を提供する位置に互いに配置されていることを意味するものである。また、この用語は、本願で使用される場合、ヘキサアリールビイミダゾール化合物と色素が、先に述べたように、加熱すると色素を着色した色素から無色の色素に所望どおりに変えることができる位置に互いに位置していることも意味する。一般に、これら二つの成分は同じ層中に存在していなければならず、このことは、たとえこの二成分が均一に分散していなくてもこれら二成分間に有意なバリヤーもしくは距離がないことを意味する。しかし、ヘキサアリールビイミダゾールの粒子と色素は均一に相互分散することが好ましい。
【００７６】
本発明の好ましい実施態様は、その上にフォトサーモグラフィ層（ｂ）を有する支持体（ａ）と、前記支持体上または支持体中に、前記式（Ｉ）で表される少なくとも一種の化合物の固体粒子（ｉ）を少なくとも一種の色素（ii）と反応するように関連してポリマー結合剤中に含有する少なくとも一種のハレーション防止成分（ｃ）を有するサーモグラフィ要素であって；前記色素成分が、本願に記載の標準の試験法によって定められているように、少なくとも約１２０℃の温度まで加熱すると約３０秒以内に、少なくとも約５０％、好ましくは少なくとも９０％が無色になるサーモグラフィ要素である。
前記色素とヘキサアリールビイミダゾール化合物の組合せを含有するハレーション防止層またはフィルター層は、前記色素とヘキサアリールビイミダゾールとの間の所望の反応を可能にする適切な透明支持体中に存在していてもよい。しかし、本発明によるハレーション防止層は、そのハレーション防止層またはフィルター層がコートされるフォトサーモグラフィ要素の支持体または他の層に適切に接着する結合剤を含有していることが一層好ましい。接着を目的とする最適の結合剤の選択は、特定の支持体、処理条件、特定の感光層などの因子によって決まる。
【００７７】
フォトサーモグラフィ要素を像様露光した後、単に、適度に高い温度まで均一に加熱することによって、短い時間内に、目視可能な画像を、本発明のフォトサーモグラフィ要素に現像することができる。例えば、フォトサーモグラフィ要素は、像様露光を行った後、潜像を現像しかつハレーション防止層またはフィルター層を着色した層から無色の層に変化させるのに必要な温度を提供する範囲内の温度まで加熱することができる。この温度は最も広くて約８０℃〜約２５０℃の範囲内であり、例えば約１１０℃〜約２００℃の範囲内である。加熱は一般に、所望の画像が現像されるまでおよびハレーション防止層またはフィルター層が所望の程度まで漂白されるまで実施される。この加熱の時間は、一般に約１秒〜約２０分の範囲内の時間であり、例えば約１秒〜約９０秒である。
【００７８】
フィルター層とＡＨＵ層を含有する一実施態様を示す単純な典型的なフォトサーモグラフィ要素およびその要素中の前記層の配置は下記のとおりである。
【００７９】
0003842633.tif 000018
【００８０】
上記のように、本発明は、乾式フォトサーモグラフィ法（すなわち「乾式熱処理」に有用である。用語「乾式熱処理」は、本願では、写真要素の像様露光を行った後、生成した潜像を、乾式プロセスまたは見掛け上の乾式プロセス（ａｐｐａｙｅｎｔｌｙ  ｄｒｙ  ｐｒｏｃｅｓｓ）で、熱を使って、フォトサーモグラフィ要素またはフォトサーモグラフィフィルムの温度を、少なくとも約８０℃、好ましくは少なくとも約１００℃、より好ましくは約１２０℃〜１８０℃の温度まで上げることによって現像する方法を意味する。用語「乾式プロセス」は、本願では、水溶液を外部から適用しないことを意味する。用語「見掛け上の乾式プロセス」は、少なくともいくつかの水溶液を外部から適用するが、そのフィルムを水溶液で均一に飽和する以上の量を加えないことを意味する。
【００８１】
この乾式熱処理は、一般に、フォトサーモグラフィ要素を、現像画像が形成されるまで、例えば約０．５〜約６０秒の範囲内の時間、加熱することによって行われる。その乾式処理温度を上下することによって、処理時間を短かくしたり長くすることは有用である。フォトサーモグラフィの技術界で知られている加熱手段が、露光されたフォトサーモグラフィ要素に対して所望の処理温度を提供するのに有用である。その加熱手段は、例えば、簡単なホットプレート、アイロン、ローラ、加熱ドラム、マイクロ波ヒータ、加熱空気、蒸気などでよい。熱処理は、簡単に行うため、周囲条件の圧力と湿度下で行うことが好ましいが、標準の大気圧と湿度以外の条件も有用である。
【００８２】
消費者カメラに対して一般的に使用されるカラーのフォトサーモグラフィフィルムを現像する乾式熱処理は、それらフィルムが湿式処理溶液なしで熱を加えることによって現像されるので、処理が容易でかつ便利な点で有意な利点を提供する。このようなフィルムは、キオスクまたは自宅で、ほぼ乾燥した装置を使用して、特に容易に現像することができる。したがって、乾式フォトサーモグラフィシステムは、より優れた便利さ、利用しやすさおよび現像の速度（消費者が画像を獲得する時点から消費者が印画を入手する時点まで）、幅広い消費者層向けに自宅でのほとんど「即座」の現像に対する新しい機会を開いている。
【００８３】
好ましくは、熱現像中、三つの感光ユニット各々と反応するように関連して内部に配置されているブロックされた現像主薬は、脱ブロック、されて現像主薬を生成して、その脱ブロックされた現像主薬は、現像時に像様酸化される。写真組立体の成分は、所望の画像をつくるために、互いに「関連している」必要がある。本願の用語「関連している」は、フォトサーモグラフィ要素において、写真のハロゲン化銀と画像形成組立体が、互いに、所望の処理を行うことができかつ有用な画像を形成する位置にあることを意味する。これには、異なる層の中に成分が位置していることを含んでいる。
【００８４】
本発明は、黒白およびカラーのフィルムと印画紙を含むフォトサーモグラフィ要素に適用できる。このようなフォトサーモグラフィ要素は、マクイロフィルム撮影、保健用画像形成グラフィックアート、消費者製品などの分野で使用される。フォトサーモグラフィ要素が、リン光を含む保健もしくは医薬の画像形成の分野で、可視光に直接または間接に露出される場合、特に有用であり、元の露光は例えばＸ線であればよい。本発明の好ましい用途は、消費者のカラーのフォトサーモグラフィのフィルムへの用途である。
【００８５】
ここで、代表的なフォトサーモグラフィ要素について説明する。フォトサーモグラフィ要素の支持体は反射性でも透明でもよいが通常、透明の方が好ましい。反射性である場合、支持体は白色であり、カラー印画要素に現在利用されている通常の支持体の形態である。支持体は、透明である場合、無色でも着色していてもよく、ネガ型カラー要素に現在利用されている通常の支持体、例えば無色のもしくは着色した透明なフィルム支持体の形態である。支持体の構造の詳細は当業技術界ではよく理解されている。有用な支持体の例は、ポリ（ビニルアセタール）のフィルム、ポリスチレンフィルム、ポリ（エチレンテレフタレート）フィルム、ポリ（エチレンナフタレート）フィルム、ポリカーボネートフィルム、および類縁のフィルムと樹脂性材料、ならびに紙、布、ガラス、金属および予想される処理条件に耐える他の支持体である。フォトサーモグラフィ要素は、追加の層、例えば、フィルター層、中間層、下塗り層、ハレーション防止層などを備えていてもよい。接着性を高めるための下塗り層を含む透明支持体と反射性支持体の構造は、Research Disclosure ＩのセクションＸＶに開示されている。
【００８６】
また、写真要素は、Research Disclosure 、アイテム３４３９０、１９９２年１１月に記載されているような磁気記録材料、または米国特許第４，２７９，９４５号と同第４，３０２，５２３号に開示されているように、透明支持体の下側に、磁気粒子を含有する層のような透明な磁気記録層を備えていると便利である。
【００８７】
ネガ型カラーフィルム構造の一例（一実施態様）では、青、緑および赤の記録層ユニットＢＵ，ＧＵおよびＲＵ各々が、一つ以上の親水性コロイド層で形成され、かつ少なくとも一種の輻射線感受性ハロゲン化銀乳剤とカプラー（少なくとも一種の色素画像形成カプラーを含む）を含有している。前記緑と赤の記録ユニットは、少なくとも二つの記録層サブユニットにさらに分割して、記録の範囲を増大しかつ画像の粒状度を低下させることが好ましい。最も簡単な考えられる構造では、層ユニットまたは層サブユニット各々が、乳剤とカプラーを含有する単一の親水性コロイド層で構成されている。層ユニットまたは層サブユニット中に存在するカプラーが、乳剤を含有する層以外の親水性コロイド層中にコードされる場合、そのカプラーを含有する親水性コロイド層は、現像中、該乳剤から、酸化された発色現像主薬を受け取るように配置される。通常、カプラー含有層は、乳剤含有層に隣接する親水性コロイド層である。
【００８８】
ＢＵは少なくとも一種のイエロー色素画像形成カプラーを含有し、ＧＵは少なくとも一種のマゼンタ色素画像形成カプラーを含有し、そしてＲＵは少なくとも一種のシアン色素画像形成カプラーを含有している。従来の色素画像形成カプラーの便利な組合せを利用できる。従来の色素画像形成カプラーは、先に引用したResearch Disclosure ＩのセクションＸ  Dye image formers and modifiers, B. Image-dye-forming couplersに記載されている。その写真要素は、他の画像改変化合物、例えば「現像抑制剤放出」化合物（ＤＩＲ）をさらに含有していてもよい。本発明の要素に添加して使用される有用なＤＩＲは当業技術界で知られており、以下の米国特許の３，１３７，５７８号、３，１４８，０２２号、３，１４８，０６２号、３，２２７，５５４号、３，３８４，６５７号、３３７９，５２９号、３，６１５，５０６号、３，６１７，２９１号、３，６２０，７４６号、３，７０１，７８３号、３，７３３，２０１号、４，０４９，４５５号、４，０９５，９８４号、４，１２６，４５９号、４，１４９，８８６号、４，１５０，２２８号、４，２１１，５６２号、４，２４８，９６２号、４，２５９，４３７号、４，３６２，８７８号、４，４０９，３２３号、４，４７７，５６３号、４，７８２，０１２号、４，９６２，０１８号、４，５００，６３４号、４，５７９，８１６号、４，６０７，００４号、４，６１８，５７１号、４，６７８，７３９号、４，７４６，６００号、４，７４６，６０１号、４，７９１，０４９号、４，８５７，４４７号、４，８６５，９５９号、４，８８０，３４２号、４，８８６，７３６号、４，９３７，１７９号、４，９４６，７６７号、４，９４８，７１６号、４，９５２，４８５号、４，９５６，２６９号、４，９５９，２９９号、４，９６６，８３５号；以下の英国特許願公開の１，５６０，２４０号、２，００７，６６２号、２，０３２，９１４号、２，０９９，１６７号；ドイツ特許願公開の２，８４２，０６３号、２，９３７，１２７号、３，６３６，８２４号、３，６４４，４１６号；並びに以下のヨーロッパ特許願公開の２７２，５７３号、３３５，３１９号、３３６，４１１号、３４６，８９９号、３６２，８７０号、３６５，２５２号、３６５，３４６号、３７３，３８２号、３７６，２１２号、３７７，４６３号、３７８，２３６号、３８４，６７０号、３９６，４８６号、４０１，６１２号、４０１，６１３号に記載されている。
【００８９】
またＤＩＰ化合物は、Photographic Science and Engineering 13巻174頁1969年に記載されているC.R. Barr. J.R. ThirtleおよびP.W. Vittumの論文「Developer-Inhibitor-Releasing (DIR) Couplers for Color Photography」にも記載されている。なお、この文献は本願に援用するものである。
【００９０】
単一の色素画像形成層ユニット内に、一つ、二つまたは三つの別の乳剤層をコートすることは通常の方式である。二つ以上の乳剤層を単一の層ユニットにコートする場合、これらの層は一般に選択して感度を変える。感度の高い乳剤を感度の低い乳剤の上にコートすると、これら二つの乳剤をブレンドした場合より高い感度が実現される。感度の低い乳剤を感度の高い乳剤の上にコートすると、これら二つの乳剤をブレンドした場合より高いコントラストが実現される。最も感度の高い乳剤を、露光輻射線源に最も近く配置しかつ最も感度の低い乳剤を支持体に最も近く配置することが好ましい。
【００９１】
本発明の一つ以上の層ユニットを、少なくとも二つの、より好ましくは三つ以上のサブユニット層に再分割することが好ましい。カラー記録ユニット中のすべての感光性ハロゲン化銀乳剤が、可視スペクトルの同じ領域に分光感度を有していることが好ましい。この実施態様で、ユニットに組みこまれたすべてのハロゲン化銀乳剤は、本発明によるスペクトル吸収率を有しているが、これら乳剤間のスペクトル吸収率特性の差は小さいと考えられる。さらにより好ましい実施態様では、より感度の低いハロゲン化銀乳剤の増感は、露出が低い光レベルから高い光レベルまで変わるので、写真記録材料による均一な像様スペクトル応答を提供するため、前記より感度の低いハロゲン化銀乳剤の上に位置している層ユニットのより感度の高いハロゲン化銀乳剤の光遮断作用を補償するように具体的に仕上げられる。したがって、下側の層の分光感度のピーク時のシールディングとブロードニングを補償するため、再分割された層ユニットのより感度の低い乳剤中の、ピーク光を吸収する分光増感色素の比率が高いことが望ましい。
【００９２】
本発明のフォトサーモグラフィ要素は、その主な機能として、カラー汚染を減らす機能すなわち酸化された現像主薬が、色素生成カプラーと反応する前に、隣接する記録層ユニットに移行するのを防止する機能を有する親水性コロイド層である中間層を備えていてもよい。その中間層は、酸化された現像主薬が移動しなければならない拡散経路の長さを、単に増大することによって部分的に有効である。酸化された現像主薬を遮断する中間層の効力を増大するため、酸化された現像主薬と反応できる還元剤を組み込むことが従来の方式である。ステイン防止剤（酸化された現像主薬のスカベンジャー）は、Research Disclosure Ｉ，X. Dye image formers and modifiers, D. Hue modifiers/stabilization, paragraph (2) に開示されているものの中から選択することができる。ＧＵおよびＲＵ中の一種以上のハロゲン化銀乳剤が高臭化物の乳剤であり、したがって青光に対して有意な固有感度を有している場合、ＩＬ１中に、イエローフィルター、例えばCarey Lea silverまたはイエロー処理溶液の脱色可能な色素を組み込むことが好ましい。適切なイエローフィルター色素は、Research Disclosure Ｉ，Section VIII, Absorbing and scattering materials, B. Absorbing materialsに例示されているものの中から選択することができる。本発明の要素には、マゼンタ色のフィルター材料が、ＩＬ２とＲＵから除かれている。
【００９３】
フォトサーモグラフィ色素は、手に触れたり処理している間にネガ型カラー要素を物理的に保護するための親水性コロイド層である表面オーバーコートＳＯＣを備えていてもよい。また、各ＳＯＣは、ネガ型カラー要素の表面もしくはその表面の近くで最も有効な添加物を組み込むのに便利な場所を提供する。場合によっては、表面オーバーコートは表面層と中間層に分割され、後者の中間層は、表面層中の添加物および隣接する記録層ユニットの間のスペーサーとして機能する。別の通常の変形では、添加物は表面層と中間層の間に分配されて、後者の中間層は、隣接する記録層ユニットと相容性の添加物を含有している。最も一般的に、ＳＯＣは、例えばResearch Disclosure Ｉ，Section IX, Coating physical property modifying addenda が例示しているような、コーティング助剤、可塑剤と潤滑剤、帯電防止剤および艶消し剤などの添加物を含有している。乳剤層の上に重なっているＳＯＣは、例えば、Research Disclosure Ｉ，Section VI. UV dyes/optical brighteners/luminescent dyes, paragrah (1) に例示されているような紫外線吸収剤を含有している方がさらに好ましい。
【００９４】
別の層ユニットの配列を採用することができ、これらの配列は、いくつかの乳剤を選択する際に特に好ましい。高塩化物の乳剤および／または薄い（粒子の平均の厚みが＜０．２μｍ）平板状粒子の乳剤の示す可視スペクトルの固有感度は無視できるので、これらの乳剤を利用して、ＢＵ，ＧＵおよびＲＵの位置の可能なすべての相互変更がすべて、マイナスブルー記録の青光汚染の危険なしで保証できる。同じ理由で、青光吸収剤を、中間層に組み込むことは不必要である。
【００９５】
Research Disclosure Ｉ，Section XIV. Scan facilitating features に例示されているように、ネガ型カラー要素の、走査に適合させるためのいくつもの改良が示唆されている。上記のネガ型カラー要素の構造とある程度相容性のこれらシステムは、本発明を実施するのに使用することが考えられる。
【００９６】
本発明の画像形成要素は常法でない増感法で使用することも考えられる。例えば、スペクトルの赤、緑および青の領域を増感された画像形成層を使用する代わりに、感光材料が、シーンの輝度を記録する一つの白感光層およびシーンのクロミナンスを記録する二つのカラー感光層をもっていてもよい。現像を行った後、得られた画像を、米国特許第５，９６２，２０５号に記載されているように、走査し、ディジタル方式で再処理して、元のシーンの全カラーを再構成することができる。また画像形成要素は、カラー分解露光を伴うパン増感された乳剤を含有していてもよい。この実施態様で、本発明の現像薬は、分解露光とあいまって、光のシーンのカラー値を完全に回復できるカラー画像または中性画像を生成する。かような要素で、画像は、現像された銀濃度、一種以上の通常のカプラーの組合せ、またはレゾルシノールカプラーなどの「黒」カプラーによって形成することができる。分解露光は、適当なフィルターを通じて連続して、または空間的に離れたフィルター要素のシステム（通常「カラーフィルターアレイ」と呼ばれている）を通じて同時に行うことができる。
【００９７】
また、本発明の画像形成要素は、例えば本発明のパン増感されたハロゲン化乳剤と現像薬で構成された黒白画像形成材料でもある。この実施態様で、画像は、処理によって現像された銀の濃度によって、または中性画像の調色スケールを担うのに使用できる色素を生成するカプラーによって形成される。
【００９８】
本発明のフォトサーモグラフィ要素は、Research Disclosure Ｉに開示されているタイプＢの要素が好ましい。タイプＢの要素は、感光性ハロゲン化銀と反応するように関連して、還元剤または現像薬、任意にアクチベータ、コーティングベヒクルまたは結合剤および有機化合物と銀イオンの塩または錯体を含有している。これらの系でこの有機錯体は現像中に還元されて金属銀を生成する。上記有機銀塩は、銀ドナーと呼称されている。このような画像形成要素を記載している文献としては、米国特許の第３，４５７，０７５号、４，４５９，３５０号、４，２６４，７２５号および４，７４１，９９２号がある。タイプＢのフォトサーモグラフィ材料には、そのハロゲン化銀由来の潜像銀が、処理時に画像を形成する前記混合物の触媒として作用すると考えられる。これらの系の、写真ハロゲン化銀好ましい濃度は、フォトサーモグラフィ材料中の銀ドナー１モル当り写真ハロゲン化銀０．０１〜１００モルの範囲内である。
【００９９】
タイプＢフォトサーモグラフィ要素は、有機銀塩酸化剤を含有する酸化還元画像形成混合物を含有している。その有機銀塩は、光に対し比較的安定であるが、露光された光触媒（すなわち感光性ハロゲン化銀）および還元剤の存在下、８０℃以上の温度で加熱されると、銀画像の形成を促進する銀塩である。
【０１００】
適切な有機銀塩としては、カルボキシル基を有する有機化合物の銀塩がある。その好ましい例としては、脂肪族カルボン酸の銀塩と芳香族カルボン酸の銀塩がある。脂肪族カルボン酸の銀塩の好ましい例としては、ベヘン酸銀、ステアリン酸銀、オレイン酸銀、ラウリン酸銀、カプリン酸銀、ミリスチン酸銀、パルミチン酸銀、マレイン酸銀、フマル酸銀、酒石酸銀、フロ酸塩、リノール酸銀、酪酸銀およびショウノウ酸銀、これらの混合物などがある。ハロゲン原子またはヒドロキシル基で置換可能な銀塩も有効に使用できる。芳香族カルボン酸および他のカルボキシル基含有化合物の銀塩としては、安息香酸銀；置換安息香酸の銀塩、例えば３，５−ジヒドロキシ安息香酸銀、ｏ−メチル安息香酸銀、ｍ−メチル安息香酸銀、ｐ−メチル安息香酸銀、２，４−ジクロロ安息香酸銀、アセトアミド安息香酸銀、ｐ−フェニル安息香酸銀など；没食子酸銀；タンニン酸銀；フタル酸銀；テレフタル酸銀；サリチル酸銀；フェニル酢酸銀；ピロメリト酸銀；米国特許第３，７８５，８３０号に記載されているような３−カルボキシメチル−４−メチル−４−チアゾリン−２−チオンの銀塩など；および米国特許第３，３３０，６６３号に記載されているようなチオエーテル基を含有する脂肪族カルボン酸の銀塩がある。有機銀ドナーの好ましい例としては、日本国特開昭４４−３０２７０号および同特開昭４５−１８１４６号に記載されているようなベンゾトリアゾールおよびその誘導体の銀塩、例えばベンゾトリアゾールまたはメチルベンゾトリアゾールの銀塩など；ハロゲン置換ベンゾトリアゾールの銀塩例えば５−クロロベンゾトリアゾールの銀塩など；１，２，４−トリアゾールの銀塩；３−アミノ−５−メルカプトベンジル−１，２，４−トリアゾールの銀塩；米国特許第４，２２０，７０９号に記載されているような１Ｈ−テトラゾールの銀塩；イミダゾールおよびイミダゾール誘導体の銀塩などがある。
【０１０１】
銀半セッケンを使用することが便利であることが分かっている。その半セッケンとしては、市販のベヘン酸のナトリウム塩の水溶液から沈澱させることによって製造して銀の分析結果が約１４．５％であるベヘン酸銀とベヘン酸の等モル混合物が好ましい例である。透明なフィルムバッキング上に製造される透明なシート状材料は透明なコーティングを必要とし、そしてこの目的を達成するため、遊離ベヘン酸の含有量が約４もしくは５％までで、銀の分析結果が約２５．２％のベヘン酸銀の全セッケンが使用される。銀セッケン分散液の製造方法は、当業技術界で周知であり、そして Research Disclosure 1983年10月（23419）および米国特許第３，９８５，５６５号に開示されている。
【０１０２】
また銀塩錯体は、銀イオンの種（ｓｉｌｖｅｒ  ｉｏｎｉｃ  ｓｐｅｃｉｅｓ）例えば硝酸銀の水溶液と、銀と錯体をつくる有機配位子の溶液を混合することによって製造することができる。この混合法は、ハロゲン銀沈降法で利用される方法を含めて、便利な形態をとることができる。銀錯体粒子の凝集を避けるために安定剤を使用してもよい。安定剤は写真技術界で有用であると知られている材料であればよく、例えば、限定されないがゼラチン、ポリビニルアルコールまたはポリマーもしくはモノマーの界面活性剤がある。
【０１０３】
感光性ハロゲン化銀粒子と有機銀塩は、現像中、触媒的に近接しているようにコートされる。前記粒子と銀塩は、連続した層でコートされるが、コートする前に混合することが好ましい。通常の混合技法は、先に引用したResearch Disclosure Item 17029；米国特許第３，７００，４５８号；ならびに日本国特願昭５０−３２９２８号、同昭４９−１３２２４号、同昭５０−１７２１６号および同昭５１−４２７２９号に例示されている。
【０１０４】
通常の輻射線感受性ハロゲン化銀乳剤の中から便利に選択して層ユニット中に組み入れて使用し、本発明のスペクトル吸収率を提供する。ヨウ化物を少量含有する高臭化物の乳剤が最も普通に利用される。高速処理を実現するため、高塩化物乳剤が使用される。輻射線感受性の塩化銀、臭化銀、ヨウ臭化銀、ヨウ塩化銀、塩臭化銀、臭塩化銀、ヨウ塩臭化銀およびヨウ臭塩化銀の粒子すべてが考えられる。これらの粒子は規則的または非規則的（例えば平板状）でもよい。通常の輻射線感受性ハロゲン化銀乳剤は、先に引用したResearch Disclosure Ｉ，I. Emulsion grains and their preparationに例示されている。これら乳剤の化学増感は、便利な形態をとることができるが、section I.V. Chemical sensitization に例示されている。また、これら乳剤層は一般に一種以上のカブリ防止剤または安定剤を含有し、これら添加剤は便利な形態をとることができるが、section VII. Antifoggants and stabilizers に例示されている。
【０１０５】
フォトサーモグラフィ要素に使用されるハロゲン化銀粒子は、当業技術界で知られている方法、例えば先に引用したResearch Disclosure Ｉおよび James著「The Theory of Photographic Process」に記載の方法によって製造することができる。これらの方法としては、例えば、アンモニア乳剤製造法、中性もしくは酸性乳剤製造法、およびその外の当業技術界で知られている製造法がある。これらの方法は、一般に、保護コロイドの存在下、温度、ｐＡｇ、pH値などを、沈降によってハロゲン化銀を製造中、適切な値に制御しながら、水溶性銀塩を水溶性ハロゲン化物塩と混合して行われる。粒子沈降の過程で、一種以上のドーパント（銀とハロゲン化物以外の粒子吸蔵物）を導入して粒子の特性を改善することができる。
【０１０６】
フォトサーモグラフィ要素において、ハロゲン化銀は一般に乳剤の形態で提供され、その乳剤は、要素の層としてその乳剤をコートするためのベヒクルを含有している。有用なベヒクルとしては、天然物質、例えばタンパク質、タンパク質誘導体、セルロース誘導体（例えばセルロースエステル類、セルロースエーテル類およびアニオンやカチオンで置換されたセルロース誘導体）、ゼラチン（牛の骨または皮革のゼラチンなどのアルカリ処理ゼラチンまたはブタ皮ゼラチンなどの酸処理ゼラチン）、脱イオンゼラチン、ゼラチン誘導体（例えばアセチル化ゼラチン、フタル化ゼラチンなど）、およびResearch Disclosure Ｉに記載されているその外のベヒクルがある。また、親水性で透水性のコロイドも、ベヒクルまたはベヒクルエクステンダーとして有用である。これらのものとしては、合成のポリマーペプタイザー、キャリアおよび／または結合剤があり、例えばポリ（ビニルアルコール）、ポリ（ビニルラクタム類）、アクリルアミドポリマー類、ポリビニルアセタール類、アルキル−およびスルホアルキル−アクリレート類とメタクリレート類のポリマー、加水分解されたポリ酢酸ビニル類、ポリアミド類、ポリビニルピリジン、メタクリルアミドコポリマー類がある。ベヒクルは、写真乳剤に有用な量で乳剤中に存在していればよい。また乳剤は、写真乳剤に有用であることが分かっている添加物を含有していてもよい。
【０１０７】
ハロゲン化銀として、感光性銀の有用量を、本発明に有用な要素に利用できるが、銀の全量は１０ｇ／ｍ2 未満であることが好ましい。銀の量は、７ｇ／ｍ2 未満が好ましく、５ｇ／ｍ2 未満がさらに好ましい。銀の量が少ないと、要素の光学的諸特性が改善されるので、その要素を使用してより鮮鋭な写真をつくることができる。
【０１０８】
本発明の一実施態様では銀の現像だけが必要なので、発色現像主薬（ｐ−フェニレンジアミン類またはｐ−アミノフェノール類）は不可欠なものではない。銀の画像を形成できる他の現像薬も、着色色素を生成するそれらの性能に関係なしに使用できる。このような現像薬としては、ｐ−フェニレンジアミン現像薬と置換ｐ−アミノフェノール類（３，５−ジクロロアミノフェノールと３，５−ジブロモアミノフェノールが特に好ましい選択化合物である）のみならず、これらに加えてｐ−スルホンアミドフェノール類、アスコルビン酸、低原子価金属化合物特にＦｅ（II）、Ｃｕ（Ｉ）、Ｃｏ（II）、Ｍｎ（II）、Ｖ（II）、Ｔｉ(III）を含有するもの、ヒドラジン誘導体、ヒドロキシルアミン誘導体、フェニドン類がある。組み込まれる現像薬としては、熱で脱ブロックする、ブロックされた現像薬が好ましい。
【０１０９】
場合によっては、現像アクチベーター（アルカリ放出剤、塩基放出剤またはアクチベーター前駆体としても知られている）が、本発明の前記フォトサーモグラフィ要素に有用である。用語「現像アクチベーター」は、本願に記載される場合、現像薬が処理温度で、画像形成材料の潜像を現像するのを助ける薬剤または化合物を意味するものとする。有用な現像アクチベーターまたはアクチベーター前駆体は、例えば、１９６８年２月２９日に公告されたベルギー特許第７０９，９６７号および英国Ｐ０９１ＥＦハンプシャー州、ハバント、ホームウェル所在のIndustrial Opportunities Ltd. が刊行したResearch Disclosure 155巻 Item 15567, 1977年３月に記載されている。有用なアクチベーター前駆体の例としては、グアニジニウム化合物、例えばトリクロロ酢酸グアニジニウム、グルタル酸ジグアニジニウム、コハク酸ジグアニジニウム、マロン酸ジグアニジニウムなど；マロン酸第四級アンモニウム；アミノ酸類、例えば６−アミノカプロン酸およびグリシン；ならびに２−カルボキシカルボキサミドアクチベーター前駆体類がある。
【０１１０】
本発明の写真要素に使用できるブロックされた現像薬の例としては、限定されないが、Reevesの米国特許第３，３４２，５９９号；イングランド、Ｐ０１０７ＤＱハンプシャー州、エムズワース、１２ａノース・ストリート、ダドリー・アネックスに所在のKenneth Mason Publications, Ltd.が刊行したResearch Disclosure（129巻27〜30頁1975年）；Hamaoka らの米国特許第４，１５７，９１５号；WaxmanとMourningの米国特許第４，０６０，４１８号；および米国特許第５，０１９，４９２号に記載されているブロックされた現像薬がある。特に有用なブロックされた現像薬は以下の米国特許願に記載されたブロックされた現像薬である。すなわち１９９９年１２月３０日付け出願の米国特許願第０９／４７６，２３４号、IMAGING ELEMENT CONTAINING A BLOCKED PHOTOGRAPHICALLY USEFUL COMPOUND；１９９９年１２月３０日付け出願の米国特許願第０９／４７５，６９１号、IMAGING ELEMENT CONTAINING A BLOCKED PHOTOGRAPHICALLY USEFUL COMPOUND；１９９９年１２月３０日付け出願の米国特許願第０９／４７５，７０３号、IMAGING ELEMENT CONTAINING A BLOCKED PHOTOGRAPHICALLY USEFUL COMPOUND；１９９９年１２月３０日付け出願の米国特許願第０９／４７５，６９０号、IMAGING ELEMENT CONTAINING A BLOCKED PHOTOGRAPHICALLY USEFUL COMPOUND；および１９９９年１２月３０日付け出願の米国特許願第０９／４７６，２３３号、PHOTOGRAPHIC OR PHOTOTHERMO GRAPHIC ELEMENT CONTAING A BLOCKED PHOTOGRAPHICALLY USEFUL COMPOUNDに記載されているブロックされた現像薬である。
【０１１１】
本発明の一実施態様のブロックされた現像薬は、好ましくは、画像形成要素の一つ以上の画像形成層に組みこまれる。使用されるブロックされた現像薬の量は、それが添加される各層において、好ましくは０．０１〜５ｇ／ｍ2 であり、より好ましくは０．１〜２ｇ／ｍ2 であり、そして最も好ましくは０．３〜２ｇ／ｍ2 である。これらの層は画像形成要素のカラー生成層または非カラー生成層でもよい。ブロックされた現像薬は、処理中、写真要素に接触している別の層に含有されていてもよい。
【０１１２】
画像形成要素が像様露出された後、ブロックされた現像薬は、処理溶液中の酸または塩基の存在により、画像形成要素を処理中、画像形成要素を加熱することにより、および／または画像形成要素を、処理中、ラミネートシートなどの、別のシートと接触させることによって、画像形成要素の処理中に活性化することができる。上記ラミネートシートは、例えばResearch Disclosure 1996年９月389 号、アイテム３８９５７（以後「Research Disclosure Ｉ」と呼称する）のSection XIXおよびXX に開示されている追加の処理化学薬剤を任意に含有している。本願に引用されるsectionはすべて、特にことわらない限りResearch DisclosureＩのsectionである。このような化学薬剤としては、例えば、亜硫酸塩類、ヒドロキシルアミン、ヒドロキサム酸類など；カブリ防止剤例えばアルカリ金属ハロゲン化物、窒素含有複素環化合物など；金属イオン封鎖剤例えば有機酸類；ならびにその外の添加剤、例えば緩衝剤類、スルホン化ポリスチレン、汚染防止剤類、殺生物剤類、脱銀剤類、安定剤類などがある。
【０１１３】
還元剤を、フォトサーモグラフィ要素に含有させてもよい。前記有機銀塩の還元剤は、銀イオンを還元して金属銀にすることができる物質であればよく、有機物質が好ましい。通常の写真現像薬、例えば３−ピラゾリジノン類、ヒドロキノン類、ｐ−アミノフェノール類、ｐ−フェニレンジアミン類およびカテコールが有用であるが、ヒンダードフェノールの還元剤が好ましい。この還元剤は、フォトサーモグラフィ層の５〜２５％の範囲内の濃度で存在していることが好ましい。
【０１１４】
ドライシルバーシステムに用いる広範囲の還元剤が開示されている。すなわち、アミドキシム類例えばフェニルアミドキシム、２−チエニルアミドキシムおよびｐ−フェノキシフェニルアミドキシム；アジン類（例えば４−ヒドロキシ−３，５−ジメトキシベンズアルデヒドアジン）；脂肪族カルボン酸アリールヒドラジド類とアスコルビン酸の組合せ、例えば２，２′−ビス（ヒドロキシメチル）プロピオニルβフェニルヒドラシドとアスコルビン酸の組合せ；ポリヒドロキシベンゼンおよびヒドロキシルアミン、レダクトンおよび／またはヒドラジンの組合せ、例えば、ヒドロキノンおよびビス（エトキシエチル）ヒドロキシルアミン、ピペリジノヘキソースレダクトンまたはフォルミル−４−メチルフェニルヒドラジン、ヒドロキサム酸類（例えばフェニルヒドロキサム酸、ｐ−ヒドロキシフェニル−ヒドロキサム酸およびｏ−アラニンヒドロキサム酸）の組合せ；アジン類とスルホンアミドフェノール類の組合せ、例えばフェノールチアジンと２，６−ジクロロ−４−ベンゼンスルホンアミドフェノール；α−シアノ−フェニル酢酸誘導体、例えばα−シアノ−２−メチルフェニル酢酸エチル、α−シアノ−フェニル酢酸エチル；ビス−β−ナフトール類、例えば２，２′−ジヒドロキシル−１−ビナフチル、６，６′−ジブロモ−２，２′−ジヒドロキシ−１，１′−ビナフチルおよびビス（２−ヒドロキシ−１−ナフチル）メタン；ビス−ｏ−ナフトールと１，３−ジヒドロキシベンゼン誘導体（例えば２，４−ジヒドロキシベンゾフェノンもしくは２，４−ジヒドロキシアセトフェノン）との組合せ；５−ピラゾロン類、例えば３−メチル−１−フェニル−５−ピラゾロン；レダクトン類、例えばジメチルアミノヘキソースレダクトン、アンヒドロジヒドロアミノヘキソースレダクトンおよびアンヒドロジヒドロ−ピペリドン−ヘキソースレダクトン；スルファミドフェノール還元剤、例えば２，６−ジクロロ−４−ベンゼン−スルホンアミド−フェノールおよびｐ−ベンゼンスルホンアミドフェノール；２−フェニルインダン−１，３−ジオンなど；クロマン類、例えば２，２−ジメチル−７−ｔ−ブチル−６−ヒドロキシクロマン；１，４−ジヒドロピリジン類、例えば２，６−ジメトキシ−３，５−ジカルブエトキシ−１，４−ジヒドロキシピリジン；ビスフェノール類、例えばビス（２−ヒドロキシ−３−ｔ−ブチル−５−メチルフェニル）−メタン、２，２−ビス（４−ヒドロキシ−３−メチルフェニル）−プロパン、４，４−エチリデン−ビス（２−ｔ−ブチル−６−メチルフェノール）および２，２−ビス（３，５−ジメチル−４−ヒドロキシフェニル）プロパン；アスコルビン酸誘導体、例えば、１−アスコルビル−パルミテート、アスコルビルステアレート；ならびに不飽和のアルデヒド類とケトン類、例えばベンジルとジアセチル、ピラゾリジン−３−オン類および特定のインダン−１，３−ジオン類である。
【０１１５】
フォトサーモグラフィ要素中の有機還元剤の最適濃度は、特定のフォトサーモグラフィ要素、所望の画像、処理条件、特定の有機銀塩および特定の酸化剤などの要因によって変化する。
【０１１６】
メルト生成化合物すなわちメルトフォーマー（時には「熱溶媒」と呼称される）を、フォトサーモグラフィ要素中の例えばさきに述べた画像形成層およびハレーション防止層もしくはフィルター層中に含有させることは有用である。メルト生成化合物すなわちメルトフォーマーの組合せも、所望により有用である。用語「メルト生成化合物」または「メルトフォーマー」は、本願で使用する場合、前記処理温度まで加熱すると、改良された反応媒体、一般に溶融媒体を提供して、前記反応混合物によってより優れた画像が提供される化合物を意味するものとする。前記処理温度における前記反応媒体の正確な性質は、完全には理解されていないが、反応温度において、反応成分をより良好に相互に作用させることができるメルトが生成すると考えられる。有用なメルト生成化合物は一般に、前記反応混合物とは別の成分であるが、前記反応混合物はメルト生成に参加することができる。一般に有用なメルト生成化合物は、本発明の材料の他の成分と相溶性のアミド類、イミド類、環式尿素類およびトリアゾール類である。有用なメルト生成化合物すなわちメルトフォーマーは、例えば、英国Ｐ０９１ＥＦハンプシャー州ハバントホームウェル所在のIndustrial Opportunities Ltd. が刊行した、LaRossa とBoettcher のResearch Disclosure 150巻 1976年10月、Item 15049に記載されている。先に述べた本発明のハレーション防止層とフィルター層は所望によりメルト生成化合物を含有していてもよい。好ましいメルトフォーマーは、サリチルアニリドと類似の化合物である。熱溶媒の例は、例えばサリチルアニリド、フタルイミド、Ｎ−ヒドロキシフタルイミド、Ｎ−カリウム−フタルイミド、スクシンイミド、Ｎ−ヒドロキシ−１，８−ナフタルイミド、フタラジン、１−（２Ｈ）−フタラジノン、２−アセチルフタラジノン、ベンズアニリドおよびベンゼンスルホンアミドである。従来技術の熱溶媒は、例えばWindender の米国特許第６，０１３，４２０号に開示されている。調色剤（ｔｏｎｉｎｇ  ａｇｅｎｔ）および調色剤の組合せの例は、例えばResearch Disclosure、1978年６月、Item No. 17029 および米国特許第４，１２３，２８２号に記載されている。
【０１１７】
前記熱現像が可能な写真材料中のメルト生成化合物またはメルト生成化合物の組合せの濃度範囲は重要である。メルト生成化合物の最適濃度は、特定の画像形成材料、所望の画像、処理条件などの要因によって決まる。
【０１１８】
本発明のフォトサーモグラフィ要素は、処理を行ってより中性かまたは黒の色調の画像を提供するため、画像のトナーすなわち調色剤を含有していてもよい。最適の画像のトナーすなわち調色剤は、特定の画像材料、所望の画像、特定の処理条件などの要因によって決まる。場合によっては、特定の画像調色剤すなわちトナーが、特定の画像形成材料によって、他の画像形成材料よりはるかに優れた結果を提供する。調色剤すなわちトナーの組合せが所望の場合、有用である。調色剤または調色剤の組合せの最適濃度は、特定の画像形成材料、処理条件、所望の画像などの要因によって決まる。
【０１１９】
フォトサーモグラフィ要素中の、処理後画像安定剤および潜像保持安定剤は有要である。フォトサーモグラフィ技術業界で知られている安定剤はいずれも、前記フォトサーモグラフィ要素に対して有用である。有用な安定剤の例示例としては、例えば米国特許第４，４５９，３５０号に記載されているような、光分解的に活性な安定剤と安定剤前駆体がある。有用な安定剤の他の例としては、例えば米国特許第３，８７７，９４０号に記載されているアゾールチオエーテル類およびブロックされたアゾリンエチオン（ａｚｏｌｉｎｅｔｈｉｏｎｅ）安定剤前駆体およびカルバモイル安定剤前駆体がある。
【０１２０】
前記フォトサーモグラフィ要素は、有用な画像の形成を助けることが知られている添加物を含有していてもよい。本発明のフォトサーモグラフィ要素は、例えばResearch Disclosure、1978年12月、Item No. 17643 およびResearch Disclosure、1978年６月 Item No. 17029に記載されている、感度増大化合物として機能する現像改良剤、増感色素、硬膜剤、帯電防止剤、可塑剤と潤滑剤、コーティング助剤、蛍光増白剤、吸光色素およびフィルター色素を含有していてもよい。
【０１２１】
フォトサーモグラフィ要素の諸層は、ディップコーティング、エアーナイフコーティング、カーティンコーティングまたはホッパーを使用する押出しコーティングを含む、写真技術業界で知られているコーティング方法によって支持体の上にコートされる。所望により、二つ以上の層が同時にコートされる。
【０１２２】
前記フォトサーモグラフィ要素は、露光および処理を行う前のフォトサーモグラフィ要素の安定化に役立つ熱安定剤を含有している方が好ましい。このような熱安定剤は、貯蔵中のフォトサーモグラフィ要素の安定性を改善する。好ましい熱安定剤は、２−ブロモ−２−アリールスルホニルアセトアミド類、例えば２−ブロモ−２−ｐ−トリスルホニルアセトアミド；２−（トリブロモメチルスルホニル）ベンゾチアゾール；および６−置換−２，４−ビス（トリブロモメチル）−ｓ−トリアジン類、例えば６−メチル−もしくは６−フェニル−２，４−ビス（トリブロモメチル）−ｓ−トリアジンである。
【０１２３】
本発明の写真要素は、Research Disclosure Ｉ、Section XVI に記載されている技法を含む公知の技法のいずれかを利用して像様露光されることが好ましい。この露光は、一般にスペクトルの可視領域の光に対する露出で行われ、そして一般的に、このような露光は、レンズを通じて行われる実物像の露光であるが露光は、発光装置（例えば発光ダイオード、ＣＲＴなど）による、記憶画像（例えばコンピュータに記憶された画像）に対する露光でもよい。また、本発明のフォトサーモグラフィ要素は、各種形態のエネルギー〔電磁スペクトルの紫外線と赤外線の領域、ならびに電子ビームとβ放射線、γ線、α粒子、中性子線、およびレーザーが生成するノンコヒーレント（ランダム位相）型もしくはコヒーレント（同位相）型の粒子波様放射エネルギーの他の形態を含む〕によって露光される。露光は、写真ハロゲン化銀の分光増感に応じてモノクロマチック、オルソクロマチックまたはパンクロマチックの露光である。フォトサーモグラフィ要素に現像可能な潜像を生成させるのに十分な時間と強度の像様露光が好ましい。
【０１２４】
イエロー、マゼンタおよびシアンの色素の画像記録が一旦、本発明の処理された写真要素に形成されると、通常の技法を利用して、各色記録の画像情報を検索し、次にその色記録を処理してカラーバランスのよい目視可能な画像をつくることができる。例えば、写真要素を、スペクトルの青、緑および赤の領域内について連続的に走査するか、または青、緑および赤のフィルターで分割されて透過する単一走査ビーム内に青、緑および赤の光を組みこんで、各色記録に対する別個の走査ビームをつくることができる。簡単な方法は、横方向にオフセットされた平行な一連の走査経路にそって逐一写真要素を走査する方法である。走査の時点で該要素を透過する光の強度はセンサによって記録され、そのセンサは受け取った放射線を電気信号に変換する。最も一般的に、この電子信号はさらに処理されて、画像の有用な電子記録を生成する。例えば、この電気信号は、アナログ／ディジタル変換器を通過させ、次に画像内に画素（ポイント）を配置するのに必要な位置情報とともにディジタルコンピュータに送ることができる。他の実施態様では、この電子信号は、測色の情報または調色の情報で記号化されて、画像を、目視可能な形態、例えば、コンピュータモニタが表示する画像、テレビジョン画像、プリントされた画像などに再構成するのに適切な電子記録を生成する。
【０１２５】
一実施態様のフォトサーモグラフィ要素は、該要素からハロゲン化銀を除く前に走査することができる。残留しているハロゲン化銀は濁ったコーティングを生成するので、拡散照明光学装置を利用するスキャナーを使用することによって、かようなシステムの走査された画像の質が改善されることが分かっている。当業技術界で知られている、拡散照明をつくる技法を利用できる。好ましいシステムとしては、内壁が高度の拡散反射を生成するように特別に設計されている拡散キャビティを利用する反射システム、および正反射光のビームの拡散が、ビーム内に配置されて光を散乱する働きをする光学要素を利用することに達成される透過システムがある。かような要素は、所望の散乱を生成する部材を組みこんでいるか、または所望の散乱を促進する表面処理がなされているガラスまたはプラスチックであればよい。
【０１２６】
走査技法が当業技術界で進歩しているので、例えばヨーロッパ特許０７６２２０１号に開示されているようにフォトサーモグラフィカラーフィルムを走査すること（この走査は銀またはハロゲン化銀をそのネガから除く必要なしに達成できる）が現在では当然でかつ実際に行われるようになっているが、このような走査を特別に配列することによってそのフィルムの質を改善することができる（例えばSimmons の米国特許第５，３９１，４４３号参照）。かようなフィルムを走査する方法は、本願と出願人が同一の米国特許願第６０／２１１，３６４号（ドケット番号８１２４６）および米国特許願第６０／２１１，０６１号（ドケット番号８１２４７）にも開示されている。なおこれら特許願は本願に援用するものである。
【０１２７】
例えば、写真要素を連続して、スペクトルの青、緑および赤の領域内を走査するか、または青、緑および赤の光を、青、緑および赤のフィルターで分割されて該フィルターを透過する単一の走査ビーム内に組みこんで、各色記録に対し別個の走査ビームをつくることができる。他の色が該画像要素中に像様に存在している場合は、適当に着色された光ビームが利用される。簡単な方法は、横方向にオフセットされた一連の平行走査経路にそって、写真要素を逐一走査する方法である。受け取った輻射線を電気信号に変更するセンサが、走査の時点で、該写真要素を透過する光の強度を記録する。最も一般的に、この電子信号はさらに処理されて、画像の有用な電子記録を生成する。例えば、前記電気信号は、アナログ−デジタル変換器を通過させ、次に、画像内に画素（ポイント）を配置するために必要な位置情報とともにディジタルコンピュータに送ることができる。この方式で集められる画素の数は、所望の画像の質によって規定されるように変えることができる。
【０１２８】
前記電子信号は、当業技術界で知られている、コンピュータモニタが表示する画像、テレビジョン画像、光学的に機械的にもしくはディジタルにプリントされた画像と表示などの可視形態に、画像を再構成させるのに適切な電子記録を形成することができる。その形成された画像は記憶または伝送して、さらに処理もしくは表示を行うことができる〔例えば、Richard P. Szajewski, Alan SowinskiおよびJohn Buhvの、発明の名称がAN IMAGE PROCESSING AND MANIPULATION SYSTEMである米国特許願第０９／５９２，８１６号（ドケット番号８１０４０）参照〕。画像記録の質を最高にする技法を含む、走査信号を処理するシステムが以下の諸米国特許に例示されている。すなわちBayer の４，５５３，１５６号、Urabe らの４，５９１，９２３号、Sasakiらの４，６３１，５７８号、Alkofer の４，６５４，７２２号、Yamadaの４，６７０，７９３号、Klees の４，６９４，３４２号と４，９６２，５４２号、Powellの４，８０５，０３１号、Mayne らの４，８２９，３７０号、Abdulwahabの４，８３９，７２１号、Matsunawa らの４，８４１，３６１号と４，９３７，６６２号、Mizukoshi らの４，８９１，７１３号、Petilliの４，９１２，５６９号、Sullivan らの４，９２０，５０１号と５，０７０，４１３号、Kimotoらの４，９２９，９７９号、Hirosawaらの４，９７２，２５６号、４，９７７，５２１号、Sakai の４，９７９，０２７号、Ｎｇの５，００３，４９４号、Katayamaらの５，００８，９５０号、Kimuraらの５，０６５，２５５号、Osamu らの５，０５１，８４２号、Lee らの５，０１２，３３３号、Bowersらの５，１０７，３４６号、Telle の５，１０５，２６６号、MacDonaldらの５，１０５，４６９号および Kwonらの５，０８１，６９２号に開示されている。走査中にカラーバランスを調節する方法は、Moore らの米国特許第５，０４９，９８４号とDavis の米国特許第５，５４１，６４５号に開示されている。
【０１２９】
一旦獲得されたディジタル色記録は、ほとんどの場合、調節されて、表示するための快適に色のバランスがとれた画像を生成し、かつビデオモニタに、または通常のカラー印画としてプリントされるときに出力するため、各種の変換とレンダリングによって、画像保持信号のカラー忠実度を保存する。画像保持信号を、走査後に変換する好ましい技法は、Giorgianniらの米国特許第５，２６７，０３０号に開示されている。なおこの特許の開示事項は本願に援用するものである。カラーディジタル画像の情報を管理する当業技術者の能力のさらなる例示が、GiorgianniおよびMadden著 Digital Color Managemext, Addisox-Wesley 1998年に記載されている。
【０１３０】
例示を目的として、通常の乾式熱現像ステップを行うフォトサーモグラフィフィルムプロセスの網羅的でないリストは以下のとおりである。
１．熱現像→走査→安定化（例えばラミネートで）→走査→復帰可能な永久的フィルムを得る。
２．熱現像→定着浴→水洗→乾燥→走査→復帰可能な永久的フィルムを得る。
３．熱現像→走査→ブリックス浴→乾燥→走査→フィルム中の銀のすべてまたは一部を再循環する。
４．熱現像→ラミネートを漂白する→ラミネートを定着する→走査→（フィルム中の銀のすべてまたは一部を再循環する）。
５．熱現像→漂白→洗浄→定着→洗浄→乾燥→比較的ゆっくりした高品質の走査
【０１３１】
以下の諸実施例は、本発明の実施を例示するために提供されるが、本発明を全く限定しない。すべての％は、特にことわらない限り重量％である。
【０１３２】
【実施例】
写真の実施例
以下の諸実施例は、写真的に有用な組成物を調製し、適切にコートされたフォーマットで組成物を試験することによって本発明の原理を説明する。下記の説明では、ＨＡＢＩを、本発明を実施する際に有用なヘキサアリールビイミダゾールの漂白前駆体化合物を表すために使用する。
【０１３３】
実施例１
以下の材料は、以下のコーティングを行うために製造した。
固体粒子の色素ＳＰＤ１：
水不溶性の色素Ｄ−１の分散液を、ボールミリング法で製造した。合計１０ｇの試料に、色素Ｄ−１  ０．２５ｇ、ポリビニルピロリドン０．１５ｇ、蒸留水９．６ｇおよびジルコニアビーズ１０mLを添加した。得られたスラリーのボールミリングを４８時間行った。ミリングの後、ジルコニアビーズを濾過によって除去した。得られたスラリーは、使用に先立って冷蔵した。Ｄ−１の構造式は下記のとおりである。
【０１３４】
【化１８】
0003842633.tif 000019
【０１３５】
固体粒子の漂白前駆体ＳＰＢＰ１：
水不溶性の漂白前駆体Ｈ−１の分散液を、ボールミリング法で製造した。合計１０ｇの試料に、ＨＡＢＩ  Ｈ−１  ０．５０ｇ、ポリビニルピロリドン０．１５ｇ、蒸留水９．３５ｇおよびジルコニアビーズ１０mLを添加した。得られたスラリーのボールミリングを４８時間行った。ミリングの後、ジルコニアビーズを濾過によって除去した。得られたスラリーは、使用に先立って冷蔵した。
【０１３６】
水溶性色素Ｄ−２：
水溶性色素Ｄ−２の構造式は下記のとおりである。
【０１３７】
【化１９】
0003842633.tif 000020
【０１３８】
コーティングの実施例：
コーティングの実施例を、下記表１−１に挙げたフォーマットにしたがって、かつ結合剤、コーティング溶媒および色素を変えることからなる変更を行って調製した。コーティングはすべて厚さ１７８μｍ（７ミル）のポリエチレンテレフタレート支持体上に調製した。
【０１３９】
【表１】
0003842633.tif 000021
【０１４０】
コーティングの成分を含むコーティングの種類を下記表１−２に列挙する。
【０１４１】
【表２】
0003842633.tif 000022
【０１４２】
コートされた試料の処理：
コーティングは、各種の温度で１０秒間、加熱板に接触させることによって熱処理した。そのコーティングの赤濃度をステータスＭフィルターセットを使用して測定した。試験結果を下記表１−３に示す。
【０１４３】
【表３】
0003842633.tif 000023
【０１４４】
コーティングの処理から得た試験結果は、固体粒子の漂白前駆体を利用するコーティングが、最高温度で色素を漂白したことを示し、そして改良した配合を、以下の実施例で示す。いくつかの低温熱処理が濃度を増大した。これは、色素の粒子が、コーティングによって、熱の力で塗りつけられて、被覆力がわずかに高くなって吸収が増大したことが原因のようであった。
【０１４５】
実施例２
下記材料を、下記のコーティングを行うために製造した。
漂白前駆体のオイル分散液ＯＢＰ１：
漂白前駆体Ｈ−２のオイル分散液を調製した。ＨＡＢＩ化合物Ｈ−２  ０．４５ｇを、１，２−ベンゼンジカルボン酸ジブチルエステル０．９０ｇに溶解した。ポリビニルアルコール０．６０ｇを、１０％  Ａｌｋａｎａｏｌ  ＸＣ溶液１．５ｇと蒸留水１１．５５ｇに溶解することによって水性相を調製した。次に、これら二つの成分相を、コロイドミルで高剪断力によって混合した。
【０１４６】
固体粒子色素ＳＰＤ２：
水不溶性色素Ｄ−３の分散液をボールミリング法で調製した。合計２０ｇの試料に、色素Ｄ−３  ０．４０ｇ、ポリビニルピロリドン０．２０ｇ、蒸留水１９．４ｇおよびジルコニアビーズ２０mLを添加した。得られたスラリーのボールミリングを４８時間行った。ミリングを行った後、ジルコニアビーズを濾過によって除去した。得られたスラリーは、使用に先立って冷蔵した。
【０１４７】
固体粒子色素ＳＰＤ３：
水不溶性色素Ｄ−１の分散液をボールミリング法で調製した。合計２０ｇの試料に、色素Ｄ−１  ０．４０ｇ、ポリビニルピロリドン０．２０ｇ、蒸留水１９．４ｇおよびジルコニアビーズ２０mLを添加した。得られたスラリーのボールミリングを４８時間行った。ミリングを行った後、ジルコニアビーズを濾過によって除去した。得られたスラリーを使用に先立って冷蔵した。
【０１４８】
固体粒子の漂白前駆体ＳＰＢＰ２：
水不溶性の漂白前駆体Ｈ−１の分散液をボールミリング法で調製した。合計２０ｇの試料に、ＨＡＢＩ−Ｈ−１  ０．４０ｇ、ポリビニルピロリドン０．２０ｇ、蒸留水１９．４ｇおよびジルコニアビーズ２０mLを添加した。得られたスラリーのボールミリングを４８時間行った。ミリングを行った後、ジルコニアビーズを濾過によって除去した。得られたスラリーは、使用に先立って冷蔵した。
【０１４９】
色素化合物類：
【０１５０】
【化２０】
0003842633.tif 000024
【０１５１】
コーティングの実施例：
コーティングの実施例を、下記表２−１に挙げたフォーマットにしたがって、結合剤、漂白前駆体および色素を変えて調製した。コーティングはすべて、厚みが１７８μｍ（７ミル）のポリエチレンテレフタレート製の支持体上につくった。
【０１５２】
【表４】
0003842633.tif 000025
【０１５３】
これらコーティングは、そのコーティングに二種類の方法で組みこんだ二種類の漂白前駆体を含有している。そのＰＶＡ結合剤は水を溶媒として使用した。コーティングの成分を下記２−２に列挙する。
【０１５４】
【表５】
0003842633.tif 000026
【０１５５】
コートされた試料の処理：
上記コーティングを、加熱プレートと１０秒間、各種温度で接触させることによって熱処理した。特定色素の減法混色の原色に対する加法混色の補色であるステータスＭフィルターを使用して、コーティング濃度を測定した。試験結果を下記表２−３に示す。
【０１５６】
【表６】
0003842633.tif 000027
【０１５７】
コーティングを処理することから得た試験結果は、オイルと、漂白前駆体の固体粒子分散液を使用し、ポリビニルアルコールを結合剤として利用した製剤で優れた漂白がなされたことを示している。
【０１５８】
実施例３
下記の材料を、下記のコーティングをつくるために調製した。
固体粒子の色素ＳＰＤ４：
水不溶性の色素Ｄ−３の分散液をボールミリング法で製造した。合計２０ｇの試料に、色素Ｄ−３  ０．５０ｇ、ポリビニルピロリドン０．１５ｇ、蒸留水１９．３５ｇおよびジルコニアビーズ２０mLを添加した。得られたスラリーのボールミリングを４８時間行った。ミリングを行った後、ジルコニアビーズを濾過で除いた。得られたスラリーを、使用に先立って冷蔵した。
【０１５９】
固体粒子の色素ＳＰＤ５：
水不溶性の色素Ｄ−４の分散液をボールミリング法で製造した。合計２０ｇの試料に、色素Ｄ−４  ０．５０ｇ、ポリビニルピロリドン０．１５ｇ、蒸留水１９．３５ｇおよびジルコニアビーズ２０mLを添加した。得られたスラリーのボールミリングを４８時間行った。ミリングを行った後、ジルコニアビーズを、濾過によって除いた。得られたスラリーを、使用に先立って冷蔵した。
固体粒子の色素ＳＰＤ６：
水不溶性の色素Ｄ−１の分散液をボールミリング法で調製した。合計２０ｇの試料に、色素Ｄ−１  ０．５０ｇ、ポリビニルピロリドン０．１５ｇ、蒸留水１９．３５ｇおよびジルコニアビーズ２０mLを添加した。得られたスラリーのボールミリングを４８時間行った。ミリングを行った後、ジルコニアビーズを濾過で除いた。得られたスラリーを、使用に先立って冷蔵した。
【０１６０】
固体粒子の漂白前駆体ＳＰＢＰ３：
水不溶性の漂白前駆体Ｈ−２の分散液をボールミリング法によって調製した。合計２０ｇの試料に、ＨＡＢＩ  Ｈ−２  ０．５０ｇ、ポリビニルピロリドン０．１５ｇ、蒸留水１９．３５ｇおよびジルコニアビーズ２０mLを添加した。得られたスラリーのボールミリングを４８時間行った。ミリングを行った後、ジルコニアビーズを濾過して除いた。得られたスラリーを使用に先立って冷蔵した。
【０１６１】
固体粒子の漂白前駆体ＳＰＢＰ４：
水不溶性の漂白前駆体Ｈ−１の分散液をボールミリング法によって製造した。合計２０ｇの試料に、ＨＡＢＩ  Ｈ−２  ０．５０ｇ、ポリビニルピロリドン０．１５ｇ、蒸留水１９．３５ｇおよびジルコニアビーズ２０mLを添加した。得られたスラリーのボールミリングを４８時間行った。ミリングを行った後、ジルコニアビーズを濾過によって除去した。得られたスラリーを、使用に先立って冷蔵した。
【０１６２】
固体粒子のメルトフォーマーＳＰＭＦ１：
サリチルアニリドの分散液をボールミリング法で調製した。合計２０ｇの試料に、サリチルアニリドの固体３．０ｇ、ポリビニルピロリドン０．２０ｇ、ＴｒｉｔｏｎＸ２００界面活性剤０．２０ｇ、ゼラチン１．０ｇ、蒸留水１５．６ｇおよびジルコニアビーズ２０mLを添加した。得られたスラリーのボールミリングを４８時間行った。ミリングを行った後、ジルコニアビーズを濾過によって除去した。得られたスラリーを使用に先立って冷蔵した。
【０１６３】
コーティングの実施例：
コーティングの実施例を、漂白前駆体と色素を種々変更して、下記表３−１に挙げたフォーマットにしたがって調製した。コーティングはすべて、厚みが１７８μｍ（７ミル）のポリエチレンテレフタレートの支持体上につくった。
【０１６４】
【表７】
0003842633.tif 000028
【０１６５】
これらコーティングの実施例は三種類の色素と二種類の漂白前駆体を含んでいる。すべてのコーティングがＰＶＡを結合剤として使用しかつ水を溶媒として使用した。これらコーティングの成分を下記表３−２に示す。
【０１６６】
【表８】
0003842633.tif 000029
【０１６７】
コートされた試料のフレッシュプロセッシング（ｆｒｅｓｈ  ｐｒｏｃｅｓｉｎｇ）
上記の諸コーティングを、加熱プレートと、１０秒間、種々の温度で接触させて熱処理した。特定色素の減法混色の原色に対する加法混色の補色であるコーティングの濃度を、ステータスＭフィルターを使用して測定した。フレッシュ試料についての測定結果を以下の表３−３に示す。
【０１６８】
【表９】
0003842633.tif 000030
【０１６９】
コートされた試料のインキュベーション試験：
この実施例の六種のコーティングを、２５．５℃と５０％相対温度の制御された条件に対して平衡状態にした後、Ｍｙｌａｒ（登録商標）プラスチック製バッグ中に封入した。次にこれらの試料を、４８．９℃の温度で１週間保持した。そのコーティングを、上記促進保存試験の条件にかけた後の濃度損失について評価した。インキュベーション試験にかけた試料の試験結果を下記表３−４に示す。下記表で使用したフレッシュコーティングは、上記表のフレッシュコーティングと異なっていたので、濃度がいくらか変動していると考えられる。
【０１７０】
【表１０】
0003842633.tif 000031
【表１１】
0003842633.tif 000032
【０１７１】
コーティングを処理して得た結果は、メルトフォーマーとポリビニルアルコール結合剤を含有する環境内でコートされた、色素と漂白前駆体の固体粒子分散液によって、良好な漂白が得られたことを示している。三種の色素クラスがすべて、両方のＨＡＢＩ漂白前駆体によって良好に作用した。さらに、これらコーティングは、インキュベーション試験中に時期尚早の漂白を起こさないという望ましい特性をもっていた。
【０１７２】
実施例４
上記実施例３に記載の材料を、下記のコーティングに使用した。さらに、この実施例では、過酸化水素で処理してゼラチンの成分を酸化したゼラチンであって、ＨＡＢＩ漂白前駆体から熱によって生成したラジカルと反応できるゼラチンを利用した。
【０１７３】
コーテングの実施例：
漂白前駆体と色素を変えて下記表４−１に挙げたフォーマットにしたがってコーティング実施例を調製した。コーティングはすべて、１７８μｍ（７ミル）の厚さのポリエチレンテレフタレート製支持体上につくった。
【０１７４】
【表１２】
0003842633.tif 000033
【０１７５】
これらのコーティングは三種の色素と二種の漂白前駆体を含有している。すべてのコーティングが酸化ゼラチンを結合剤として使用しかつ水を溶媒として使用した。これらコーティングの成分を、下記表４−２に示す。
【０１７６】
【表１３】
0003842633.tif 000034
【０１７７】
コートされた試料のフレッシュプロセッシング：
上記諸コーティングを、加熱プレートと、１０秒間、種々の温度で接触させて熱処理した。特定色素の減法混色の原色に対する加法混色の補色であるコーティングの濃度を、ステータスＭフィルターを使って測定した。その試験結果を、下記表４−３に示す。
【０１７８】
【表１４】
0003842633.tif 000035
【０１７９】
コートされた試料のインキュベーション試験：
この実施例の六種のコーティングを、２５．５℃で５０％相対湿度の制御された条件に対して平衡状態にした後、Ｍｙｌａｒ（登録商標）プラスチック製バッグ中に封入した。次に、これらの試料を、４８．９℃の温度で２週間保持した。そのコーティングを、上記促進保存試験の条件にかけた後の濃度損失について評価した。インキュベーション試験にかけた試料の試験結果を下記表４−４に示す。下記表のフレッシュコーティングは、上記表のフレッシュコーティングと異なっていたので濃度がいくらか変動していると考えられる。
【０１８０】
【表１５】
0003842633.tif 000036
【０１８１】
インキュベーション試験にかけた試料の処理：
上記表に示したコーティングのうち、高温と室温に保持した１２個のコーティングを、１６０℃で１０秒間熱処理した。上記室温の試料は別のコーティングからの試料であったが、高温の試料は上記試験に使用したのと同じ試料であった。インキュベーション試験にかけた試料を処理した結果を下記表４−５に示す。
【０１８２】
【表１６】
0003842633.tif 000037
【０１８３】
コーティングを処理して得た試験結果は、メルトフォーマーと酸化ゼラチンを含有する環境内でコートされた色素と漂白前駆体の固体粒子分散液によって、良好な漂白が得られたことを示している。三種の色素のクラスすべてが、両方のＨＡＢＩ漂白前駆体によって良好に作用した。これらのコーティングは、インキュベーション試験中に時期尚早の漂白を起こさないという望ましい特性をもっていた。さらに、これらのコーティングは、コーティングがフレッシュであったときのみならず、インキュベーション試験期間の後も、色素濃度を漂白する性能を示した。
【０１８４】
実施例５
この実施例は、本発明のハレーション防止層をカラーフォトサーモグラフィ層の下側に使用した実施例を示す。そのハレーション防止層は上記実施例４−１と同一に配合した。下記のフォトサーモグラフィ組成物を、下側のこのハレーション防止層ありおよびなしでコートした。下記の材料を、フォトサーモグラフィ層に利用した。
【０１８５】
銀塩分散液ＳＳ１：
撹拌式反応容器に、石灰で処理したゼラチン４３１ｇと蒸留水６５６９ｇを充填した。ベンゾトリアゾール２１４ｇ、蒸留水２１５０ｇおよび２．５モル濃度の水酸化ナトリウム溶液７９０ｇを含有する溶液（溶液Ｂ）を調製した。上記反応容器中の上記混合物に、必要な場合に、溶液Ｂ、硝酸および水酸化ナトリウムを添加することによってpAg を７．２５におよびpHを８．００に調節した。
【０１８６】
０．５４モル濃度の硝酸銀溶液４ｌを、前記容器に、２５０cc／min で添加し、かつ溶液Ｂを同時に添加することによってpAg を７．２５に維持した。このプロセスを、前記硝酸銀溶液が消費しつくされるまで続け、消費しつくされた時点で、混合物を限外濾過法で濃縮した。得られた銀塩分散液は銀ベンゾトリアゾールの微粒子を含有していた。
【０１８７】
銀塩分散液ＳＳ２：
撹拌式反応容器に、石灰で処理したゼラチン４３１ｇと蒸留水６５６９ｇを充填した。１−フェニル−５−メルカプトテトラゾール３２０ｇ、蒸留水２０４４ｇおよび２．５モル濃度の水酸化ナトリウム７９０ｇを含有する溶液（溶液Ｂ）を調製した。前記反応容器中の前記混合物に、必要な場合、溶液Ｂ、硝酸および水酸化ナトリウムを添加することによって、pAg を７．２５にpHを８．００に調節した。
【０１８８】
０．５４モル濃度の硝酸銀溶液４ｌを、前記容器に、２５０cc／min で添加し、同時に溶液Ｂを添加することによってpAg を７．２５に維持した。このプロセスを、前記硝酸銀溶液が消費しつくされるまで続け、消費しつくされた時点で、混合物を限外濾過法で濃縮した。得られた銀塩分散液は、１−フェニル−５−メルカプトテトラゾールの銀塩の微粒子を含有していた。
【０１８９】
ハロゲン化銀の乳剤ＳＨ１：
これらの実施例で利用した乳剤は、当業技術界で知られている通常の方法で沈降させたヨウ臭化銀の平板状粒子の乳剤であった。その粒子の寸法は、等価円直径が０．４２μｍで厚みが０．０６μｍであった。この乳剤は、当業技術分野で知られているように、青光に対して分光増感されかつ化学増感されて、最適の感度を生成した。
【０１９０】
カプラー分散液ＣＤＭ１：
カプラーＭ−１（下記構造式）を含有し、追加の永久溶媒なしのカプラー分散液を、通常の方法で調製した。
【０１９１】
内蔵型現像薬ＩＣ１：
ブロックされた現像薬ＤＥＶ−１（下記の構造式で表される）を、以下の処方の水性スラリー中で、３日間、ジルコニアビーズを使用してボールミリングを行った。現像薬１ｇに対して、トリ−イソプロピルナフタレンスルホン酸ナトリウム０．１ｇ、水１０ｇおよびジルコニアビーズ２５mLであった。ミリングを行った後、ジルコニアビーズを濾過によって除いた。得られたスラリーを使用に先立って冷蔵した。
【０１９２】
【化２１】
0003842633.tif 000038
【０１９３】
【化２２】
0003842633.tif 000039
【０１９４】
コーティングの実施例：
フォトサーモグラフィックコーティングの実施例を、下記表５−１に挙げたフォーマットにしたがって調製した。第一コーティングは、ハレーション防止実施例４−１を下側にコートされているが、第二コーティングは、ハレーション防止層なしでコートされた。コーティングはすべて、厚みが１７８μｍ（７ミル）のポリエチレンテレフタレート製の支持体上につくった。
【０１９５】
【表１７】
0003842633.tif 000040
【０１９６】
コートされた試料の処理：
得られた上記のコーティングを、段階光学くさびを通じて、５５００Ｋにて１．８log ルックスの光源とラッテン２Ｂフィルターで露光した。露光時間は０．１秒であった。露光を行った後、コーティングを、加熱プレートに１６０℃にて１０秒間接触させることによって熱処理した。赤、緑および青の濃度を、ステータスＭカラープロフィルを利用して読み取った結果、下記表に挙げた濃度であった。ハレーション防止色素はシアン色であったので、赤濃度の記録を利用して、その層の濃度を監視した。フォトサーモグラフィ層内の画像形成カプラーはマゼンタ色の色素を生成したので、緑濃度の記録を利用してその層の濃度を監視した。またフォトサーモグラフィ層も中性の銀濃度を生成したことを認識しなければならない。そして、このことは三つのステータスＭ濃度記録すべてに影響するであろう。同様に、前記ハレーション防止色素も、緑と青のフィルター領域にゼロでない吸光度を示した。原貯蔵試料および最小濃度（Dmin）と最大濃度（Dmax）をもたらす露光ステップで処理した試料について測定を行った。測定結果を下記表５−２に示す。
【０１９７】
【表１８】
0003842633.tif 000041
【０１９８】
フォトサーモグラフィ層が生成した濃度が、適切にハレーション防止層に含まれている化学物質に影響を受けなかったということは、上記の結果から明らかである。このことは、処理された両方のコーティングの緑と青の濃度が増大したことによって示されている。さらに、ハレーション防止層も、フォトサーモグラフィ層に含有されている化学物質の存在下で漂白された。このことは、ハレーション防止層を含有する処理されたコーティングの赤の濃度が大きく減少したことによって示されている。これは、本発明の組成物が、フォトサーモグラフィ要素に使用するのに完全に適合していることを示している。